(57)【特許請求の範囲】
【請求項１】
物体側から順に、
負屈折力をもつ第１レンズ群と、
正屈折力をもつ第２レンズ群と、
負屈折力をもつ第３レンズ群と、
正屈折力をもつ第４レンズ群からなり、
光軸上にて空気に接触する面が入射面と射出面の２つのみのレンズブロックをレンズ成分と定義するとき、
前記第１レンズ群は、１枚の負レンズと１枚の正レンズを接合した１つの負レンズ成分で構成され、
広角端から望遠端への変倍に際し、
前記第２レンズ群は物体側に移動し、
前記第３レンズ群は移動し、
前記第１レンズ群と前記第２レンズ群との間隔は狭まり、
前記第２レンズ群と前記第３レンズ群との間隔は変化し、
前記第３レンズ群と前記第４レンズ群との間隔は変化し、
ｆｗを広角端でのズームレンズ全系の焦点距離、
ｆｔを望遠端でのズームレンズ全系の焦点距離とし、
中間付近ズーム状態をズームレンズ全系の焦点距離が０．９×√（ｆｗ・ｆｔ）から１．０５×√（ｆｗ・ｆｔ）となるいずれかのズーム状態としたときに、前記第３レンズ群は、いずれかの中間付近ズーム状態にて下記条件式（１）を満足し、更に条件式（７）、（８）を満足することを特徴とするズームレンズ。
Δ３Ｇ（ｓ）／ｆｗ≦０                                ・・・（１）
０．１＜ΣＧ１ｄ／ｆｗ＜０．２５                      ・・・（７）
３０＜（νｄＬ１ｎ−νｄＬ１ｐ）＜５０                ・・・（８）
ただし、
Δ３Ｇ（ｓ）は、第３レンズ群の広角端での位置に対する中間付近ズーム状態での位置の差、
符号は、物体側に進む方向を正符号、像側に進む方向を負符号
とし、
ΣＧ１ｄは、第１レンズ群の光軸上での肉厚、
νｄＬ１ｎは第１レンズ群中の負レンズのアッベ数、
νｄＬ１ｐは第１レンズ群中の正レンズのアッベ数
である。
【請求項２】
前記第１レンズ群の最も像側のレンズ面が凹面であり、前記レンズ面が非球面であることを特徴とする請求項１に記載のズームレンズ。
【請求項３】
前記第１レンズ群の最も物体側のレンズ面が凹面であり、前記レンズ面が光軸から離れるほど負の屈折力が小さくなる非球面であることを特徴とする請求項１又は請求項２に記載のズームレンズ。
【請求項４】
前記第１レンズ群の前記正レンズの材質が樹脂であることを特徴とする請求項１乃至請求項３のいずれかに記載のズームレンズ。
【請求項５】
前記第１レンズ群の前記正レンズの材質はエネルギー硬化型樹脂であり、前記第１レンズ群の前記負レンズ成分は前記負レンズのレンズ面上に前記正レンズが直接成形されたものであることを特徴とする請求項４に記載のズームレンズ。
【請求項６】
前記第１レンズ群の前記正レンズと前記負レンズの接合面が非球面であることを特徴とする請求項１乃至請求項５のいずれかに記載のズームレンズ。
【請求項７】
物体側から順に、
負屈折力をもつ第１レンズ群と、
正屈折力をもつ第２レンズ群と、
負屈折力をもつ第３レンズ群と、
正屈折力をもつ第４レンズ群からなり、
光軸上にて空気に接触する面が入射面と射出面の２つのみのレンズブロックをレンズ成分と定義するとき、
前記第１レンズ群は、１枚の負レンズと１枚の正レンズを接合した１つの負レンズ成分で構成され、
前記第２レンズ群は、物体側から順に１枚の正レンズと１枚の負レンズからなり、
広角端から望遠端への変倍に際し、
前記第２レンズ群は物体側に移動し、
前記第３レンズ群は移動し、
前記第１レンズ群と前記第２レンズ群との間隔は狭まり、
前記第２レンズ群と前記第３レンズ群との間隔は変化し、
前記第３レンズ群と前記第４レンズ群との間隔は変化し、
ｆｗを広角端でのズームレンズ全系の焦点距離、
ｆｔを望遠端でのズームレンズ全系の焦点距離とし、
中間付近ズーム状態をズームレンズ全系の焦点距離が０．９×√（ｆｗ・ｆｔ）から１．０５×√（ｆｗ・ｆｔ）となるいずれかのズーム状態としたときに、前記第３レンズ群は、いずれかの中間付近ズーム状態にて下記条件式（１）を満足することを特徴とするズームレンズ。
Δ３Ｇ（ｓ）／ｆｗ≦０                                ・・・（１）
ただし、
Δ３Ｇ（ｓ）は、第３レンズ群の広角端での位置に対する中間付近ズーム状態での位置の差、
符号は、物体側に進む方向を正符号、像側に進む方向を負符号
とする。
【請求項８】
以下の条件式を満足することを特徴とする請求項７に記載のズームレンズ。
ｎｄＬ２ｐ＞１．６５                                  ・・・（１０Ａ）
νｄＬ２ｐ＞４０．０                                  ・・・（１０Ｂ）
νｄＬ２ｎ＜３０．０                                  ・・・（１０Ｃ）
ただし、
ｎｄＬ２ｐは第２レンズ群中の正レンズのｄ線の屈折率、
νｄＬ２ｐは第２レンズ群中の正レンズのアッベ数、
νｄＬ２ｎは第２レンズ群中の負レンズのアッベ数、
である。
【請求項９】
以下の条件式（２）を満足することを特徴とする請求項１乃至請求項８のいずれかに記載のズームレンズ。
−０．２＜（Ｄ３（ｗ）−Ｄ３（ｓ））／ｆｗ＜０．３    ・・・（２）
ただし、
Ｄ３(w)は、広角端での第３レンズ群と第４レンズ群との間の間隔、
Ｄ３(s)は、条件（１）を満たす何れかの中間付近ズーム状態での第３レンズ群と第４レンズ群との間隔
である。
【請求項１０】
以下の条件式（７）を満足することを特徴とする請求項７乃至請求項９のいずれかに記載のズームレンズ。
０．１＜ΣＧ１ｄ／ｆｗ＜０．２５                      ・・・（７）
ただし、
ΣＧ１ｄは、第１レンズ群の光軸上での肉厚、
ｆｗは、広角端でのズームレンズ全系の焦点距離、
である。
【請求項１１】
前記第１レンズ群の最も像側のレンズ面が凹面であり、前記レンズ面が非球面であることを特徴とする請求項１０に記載のズームレンズ。
【請求項１２】
前記第１レンズ群の最も物体側のレンズ面が凹面であり、前記レンズ面が光軸から離れるほど負の屈折力が小さくなる非球面であることを特徴とする請求項１０又は請求項１１に記載のズームレンズ。
【請求項１３】
前記第１レンズ群の前記正レンズの材質が樹脂であることを特徴とする請求項１０乃至請求項１２のいずれかに記載のズームレンズ。
【請求項１４】
前記第１レンズ群の前記正レンズの材質はエネルギー硬化型樹脂であり、前記第１レンズ群の前記負レンズ成分は前記負レンズのレンズ面上に前記正レンズが直接成形されたものであることを特徴とする請求項１３に記載のズームレンズ。
【請求項１５】
前記第１レンズ群の前記正レンズと前記負レンズの接合面が非球面であることを特徴とする請求項１０乃至請求項１４のいずれかに記載のズームレンズ。
【請求項１６】
以下の条件式（８）を満足することを特徴とする請求項１０乃至請求項１５のいずれかに記載のズームレンズ。
３０＜（νｄＬ１ｎ−νｄＬ１ｐ）＜５０                ・・・（８）
ただし、
νｄＬ１ｎは第１レンズ群中の負レンズのアッベ数、
νｄＬ１ｐは第１レンズ群中の正レンズのアッベ数
である。
【請求項１７】
前記第２レンズ群は、物体側より順に、正の屈折力を有する正レンズ成分と、負の屈折力を有する負レンズ成分からなることを特徴とする請求項１乃至請求項１６のいずれかに記載のズームレンズ。
【請求項１８】
前記第２レンズ群は、物体側から順に、第１正レンズ、第２正レンズと負レンズの接合レンズからなることを特徴とする請求項１乃至請求項６のいずれかに記載のズームレンズ。
【請求項１９】
前記第２レンズ群は、物体側から順に、１枚の正レンズと１枚の負レンズからなることを特徴とする請求項１乃至請求項１７のいずれかに記載のズームレンズ。
【請求項２０】
以下の条件式を満足することを特徴とする請求項１９に記載のズームレンズ。
ｎｄＬ２ｐ＞１．６５                                  ・・・（１０Ａ）
νｄＬ２ｐ＞４０．０                                  ・・・（１０Ｂ）
νｄＬ２ｎ＜３０．０                                  ・・・（１０Ｃ）
ただし、
ｎｄＬ２ｐは第２レンズ群中の正レンズのｄ線の屈折率、
νｄＬ２ｐは第２レンズ群中の正レンズのアッベ数、
νｄＬ２ｎは第２レンズ群中の負レンズのアッベ数、
である。
【請求項２１】
前記第２レンズ群の最も物体側のレンズ面が非球面であることを特徴とする請求項１乃至請求項２０のいずれかに記載のズームレンズ。
【請求項２２】
前記第３レンズ群は、１枚の負レンズからなることを特徴とする請求項１乃至請求項２１のいずれかに記載のズームレンズ。
【請求項２３】
前記第３レンズ群中の前記負レンズは、少なくとも１面の非球面を有することを特徴とする請求項２２に記載のズームレンズ。
【請求項２４】
前記第３レンズ群中の前記負レンズは、像面側のレンズ面が非球面であることを特徴とする請求項２２に記載のズームレンズ。
【請求項２５】
前記第３レンズ群中の前記負レンズは、材質が樹脂であることを特徴とする請求項２１乃至請求項２４のいずれかに記載のズームレンズ。
【請求項２６】
以下の条件式を満足することを特徴とする請求項１乃至請求項２５のいずれかに記載のズームレンズ。
２．２＜｛β２（ｔ）／β２（ｗ）｝／｛β３（ｔ）／β３（ｗ）｝＜３．０
・・・（１１）
ただし、β２（ｔ）は、第２レンズ群の望遠端での横倍率、
β２（ｗ）は、第２レンズ群の広角端での横倍率、
β３（ｔ）は、第３レンズ群の望遠端での横倍率、
β３（ｗ）は、第３レンズ群の広角端での横倍率、
である。
【請求項２７】
前記第４レンズ群は、１枚の正レンズからなることを特徴とする請求項１乃至請求項２６のいずれかに記載のズームレンズ。
【請求項２８】
前記第４レンズ群中の前記正レンズは、少なくとも１面の非球面を有することを特徴とする請求項２７に記載のズームレンズ。
【請求項２９】
前記第４レンズ群中の前記正レンズは、最も像面側のレンズ面が非球面であることを特徴とする請求項２７に記載のズームレンズ。
【請求項３０】
前記第４レンズ群中の前記正レンズは、材質が樹脂であることを特徴とする請求項２７乃至請求項２９のいずれかに記載のズームレンズ。
【請求項３１】
前記第４レンズ群は、広角端よりも望遠端にて像側に位置することを特徴とする請求項１乃至請求項３０のいずれかに記載のズームレンズ。
【請求項３２】
前記ズームレンズと、
前記ズームレンズの像側に配置され、前記ズームレンズにより形成された像を電気信号に変換する撮像素子を有し、
前記ズームレンズが請求項１乃至請求項３１のいずれかに記載のズームレンズであることを特徴とする撮像装置。
【発明の詳細な説明】
【技術分野】
【０００１】
本発明は、ズームレンズ及びそれを用いた撮像装置に関し、特に小型化を実現した、ビデオカメラやデジタルカメラを始めとする撮像装置に適したズームレンズに関するものである。
【背景技術】
【０００２】
近年、フィルムカメラに代わる次世代カメラとしてデジタルカメラが注目されている。さらに、それは業務用高機能タイプからポータブルな普及タイプまで幅広い範囲でいくつものカテゴリーを有するようになってきている。
【０００３】
ポータブルな普及タイプのカテゴリーのデジタルカメラやビデオカメラでは、高画質を確保しながら奥行きを薄くすることが求められている。カメラの奥行き方向は、レンズ系の最も物体側の面から撮像面までの厚みの影響が大きい。特にズームレンズの場合、撮影時にてこの厚みが大きくなりやすい。そのため、撮影時にはズームレンズをカメラボディ内からせり出し、携帯時にはズームレンズをカメラボディ内に収納するいわゆる沈胴式鏡筒を採用することが主流になっている。
【０００４】
従来小型のズームレンズとして、物体側から順に、負の屈折力を有する第１レンズ群、正の屈折力を有する第２レンズ群、正の屈折力を有する第３レンズ群からなる、いわゆる負先行型のズームレンズが知られている。このタイプの従来例として以下の文献が知られている。
【特許文献１】特開２００２−１４２８４号公報
【特許文献２】特開２００３−１７７３１５号公報
【特許文献２】特開２００７−６５５９０号公報
【発明の開示】
【発明が解決しようとする課題】
【０００５】
しかしながら、先行技術文献１のズームレンズは、負の屈折力を有する第１レンズ群のレンズ枚数が空気間隔を有して２枚ある為、第１レンズ群の光軸上での厚さが厚くなってしまい、沈胴したとしても鏡筒の厚み方向の寸法が十分に薄くならず、カメラの小型化に不利である。
【０００６】
先行技術文献２のズームレンズは、負の屈折力を有する第１レンズ群を１枚の負レンズで構成しているため、小型化には有利であるが、１枚の負レンズのみで構成すると、広角端における非点収差、色収差、あるいは変倍の際の非点収差、色収差の変動が大きくなりやすく変倍比を大きくしにくい。
【０００７】
先行技術３のズームレンズは、負の屈折力を有する第１レンズ群を負レンズと正レンズを持つ一つのレンズ成分（レンズ成分は光軸上にて空気に接触する面が入射面と射出面の２つのみのレンズブロックと定義する）で構成しているため、小型化や、第１レンズ群の色収差の低減には有利であるが、非点収差などの変動を抑えにくく画角や明るさの確保に不利となる。
【０００８】
本発明は上述の課題に鑑み、沈胴時の小型化に有利であり、変倍比、明るさ、画角を確保しても光学性能を確保しやすいズームレンズを提供することを目的とするものである。
【０００９】
更には、そのようなズームレンズを備えた小型の撮像装置を提供することを目的とするものである。
【課題を解決するための手段】
【００１０】
本発明に係る一実施形態のズームレンズは、
物体側から順に、
負屈折力をもつ第１レンズ群と、
正屈折力をもつ第２レンズ群と、
負屈折力をもつ第３レンズ群と、
正屈折力をもつ第４レンズ群からなり、
光軸上にて空気に接触する面が入射面と射出面の２つのみのレンズブロックをレンズ成分と定義するとき、
前記第１レンズ群は、１枚の負レンズと１枚の正レンズを接合した１つの負レンズ成分で構成され、
広角端から望遠端への変倍に際し、
前記第２レンズ群は物体側に移動し、
前記第３レンズ群は移動し、
前記第１レンズ群と前記第２レンズ群との間隔は狭まり、
前記第２レンズ群と前記第３レンズ群との間隔は変化し、
前記第３レンズ群と前記第４レンズ群との間隔は変化し、
ｆｗを広角端でのズームレンズ全系の焦点距離、
ｆｔを望遠端でのズームレンズ全系の焦点距離とし、
中間付近ズーム状態をズームレンズ全系の焦点距離が０．９×√（ｆｗ・ｆｔ）から１．０５×√（ｆｗ・ｆｔ）となるいずれかのズーム状態としたときに、前記第３レンズ群は、いずれかの中間付近ズーム状態にて下記条件式（１）を満足し、更に条件式（７）、（８）を満足することを特徴とする。
Δ３Ｇ（ｓ）／ｆｗ≦０                                ・・・（１）
０．１＜ΣＧ１ｄ／ｆｗ＜０．２５                      ・・・（７）
３０＜（νｄＬ１ｎ−νｄＬ１ｐ）＜５０                ・・・（８）
ただし、
Δ３Ｇ（ｓ）は、第３レンズ群の広角端での位置に対する中間付近ズーム状態での位置の差、
符号は、物体側に進む方向を正符号、像側に進む方向を負符号
とし、
ΣＧ１ｄは、第１レンズ群の光軸上での肉厚、
νｄＬ１ｎは第１レンズ群中の負レンズのアッベ数、
νｄＬ１ｐは第１レンズ群中の正レンズのアッベ数
である。
さらに、本発明に係る他の一実施形態のズームレンズは、
物体側から順に、
負屈折力をもつ第１レンズ群と、
正屈折力をもつ第２レンズ群と、
負屈折力をもつ第３レンズ群と、
正屈折力をもつ第４レンズ群からなり、
光軸上にて空気に接触する面が入射面と射出面の２つのみのレンズブロックをレンズ成分と定義するとき、
前記第１レンズ群は、１枚の負レンズと１枚の正レンズを接合した１つの負レンズ成分で構成され、
前記第２レンズ群は、物体側から順に１枚の正レンズと１枚の負レンズからなり、
広角端から望遠端への変倍に際し、
前記第２レンズ群は物体側に移動し、
前記第３レンズ群は移動し、
前記第１レンズ群と前記第２レンズ群との間隔は狭まり、
前記第２レンズ群と前記第３レンズ群との間隔は変化し、
前記第３レンズ群と前記第４レンズ群との間隔は変化し、
ｆｗを広角端でのズームレンズ全系の焦点距離、
ｆｔを望遠端でのズームレンズ全系の焦点距離とし、
中間付近ズーム状態をズームレンズ全系の焦点距離が０．９×√（ｆｗ・ｆｔ）から１．０５×√（ｆｗ・ｆｔ）となるいずれかのズーム状態としたときに、前記第３レンズ群は、いずれかの中間付近ズーム状態にて下記条件式（１）を満足することを特徴とする。
Δ３Ｇ（ｓ）／ｆｗ≦０                                ・・・（１）
ただし、
Δ３Ｇ（ｓ）は、第３レンズ群の広角端での位置に対する中間付近ズーム状態での位置の差、
符号は、物体側に進む方向を正符号、像側に進む方向を負符号
とする。
【００１１】
このように、負屈折力のレンズ群を物体側に配置することで、ズームレンズの径方向の小型化や沈胴時の小型化に有利となる。そして、第２レンズ群を物体側に移動させて第１レンズ群との間隔を狭めることで第２レンズ群に変倍の機能を持たせている。
【００１２】
このようなズームレンズの場合、第１レンズ群を１枚の負レンズと１枚の正レンズを接合した１つの負レンズ成分で構成することで、第１レンズ群の光軸上での厚さを低減しやすくできるとともに、第１レンズ群での色収差の発生を抑えやすくなる。
【００１３】
一方、この負レンズと正レンズとが接しているため、非点収差の補正がしにくくなる。そのため、正屈折力の第２レンズ群の像側に負屈折力の第３レンズ群を配置し、その前後の間隔を変化させて移動させることで、ペッツバール和の調整による非点収差の変動の補正や、色収差などの諸収差の補正が行いやすくなる。そして、負屈折力の第３レンズ群の像側に正屈折力の第４レンズ群を配置することで、射出瞳を像面から離す機能を持たせている。
【００１４】
このように第１レンズ群の構成やレンズ群の屈折力の配置、移動方式を工夫することにより小型でありながら収差変動も抑えやすいズームレンズとなる。
【００１５】
そして、第１の発明では、
ｆｗを広角端でのズームレンズ全系の焦点距離、
ｆｔを望遠端でのズームレンズ全系の焦点距離とし、
中間付近ズーム状態をズームレンズ全系の焦点距離が０．９×√（ｆｗ・ｆｔ）から１．０５×√（ｆｗ・ｆｔ）となる何れかのズーム状態としたときに、前記第３レンズ群は、いずれかの中間付近ズーム状態にて下記条件式を満足するものである。
【００１６】
Δ３Ｇ（ｓ）／ｆｗ≦０                                ・・・（１）
ただし、Δ３Ｇ（ｓ）は、第３レンズ群の広角端での位置に対する中間付近ズーム状態での位置の差、
符号は、物体側に進む方向を正符号、像側に進む方向を負符号
とする。
【００１７】
これは、第１レンズ群を１つの負レンズユニットで構成したことによる変倍の際の非点収差の変動量を一層補正しやすくするためのものであり、第３レンズ群に入射する軸外光束の入射位置を中間ズーム付近にて光軸から離すことで、広角端から中間付近ズーム状態を経由し望遠端に至る間の像面湾曲の変動を低減しやすくするためのものである。
【００１８】
条件式（１）の上限を上回らないように第３レンズ群を位置させることにより、変倍の際の非点収差の変動量をさらに補正しやすくなるとともに、中間付近ズーム状態にて発生しやすい像面湾曲を補正しやすくなる。
【００１９】
また、条件式（１）の上限値を−０．０１とすることがより好ましい。
【００２０】
さらに、条件式（１）に下限値を設けて−０．５を下回らないようにすると、第３レンズ群と第４レンズ群との干渉を抑えやすくなる。
【００２１】
さらに、以下の条件式を満足するとより効果的に中間付近ズーム状態での像面湾曲を補正しやすくなる。
【００２２】
−０．２＜（Ｄ３（ｗ）−Ｄ３（ｓ））／ｆｗ＜０．３      ・・・（２）
ただし、Ｄ３(w)は、広角端での第３レンズ群と第４レンズ群との間の間隔、
Ｄ３(s)は、条件（１）を満たす何れかの中間付近ズーム状態での第３レンズ群と第４レンズ群との間隔
である。
【００２３】
条件式（２）の下限を下回らないようにすることで、像面湾曲の補正不足を抑えやすくなる。また、条件式（２）の上限を上回らないようにすることで、像面湾曲の補正過剰を抑えやすくなる。
【００２４】
また、条件式（２）の下限値を−０．１とするとより好ましい。さらに、条件式（２）の上限値を０．２とするとより好ましい。
【００２５】
また、他の側面の本発明のズームレンズは、広角端から望遠端への変倍に際し、第１レンズ群は、像面側に移動後物体側に移動方向を反転させて移動し、
ｆｗを広角端でのズームレンズ全系の焦点距離、
全長最短ズーム状態を変倍時にて第１レンズ群が最も像面側に位置するズーム状態としたとき、
前記第３レンズ群が下記条件式を満足するものである。
【００２６】
Δ３Ｇ（ｓ'）／ｆｗ≦０                                ・・・（３）
ただし、Δ３Ｇ（ｓ'）は、第３レンズ群の広角端での位置に対する全長最短ズーム状態での位置の差、
符号は、物体側に進む方向を正符号、像側に進む方向を負符号
とする。
【００２７】
第１レンズ群を像側に移動後、物体側に移動方向を反転させることで、変倍比を大きくしても全長の増大を抑えつつ、コンペンセータの役目を持たせやすくなると共に、第１レンズ群が最も像面に近づいたときに条件式(３)の上限を上回らないようにすることで、変倍の際の非点収差の変動量を補正することが可能であるとともに、最短ズーム状態付近にて発生しやすい像面湾曲の補正に有利となる。
【００２８】
また、条件式（３）の上限値を−０．０１とすることがより好ましい。さらに、条件式（３）に下限値を設けて−０．５を上回らないようにすると、第３レンズ群と第４レンズ群との干渉を抑えやすくなる。
【００２９】
さらに、全長最短ズーム状態におけるズームレンズ全系の焦点距離が以下の条件を満足することが好ましい。
【００３０】
０．９＜ｆｓ’／√（ｆｗ・ｆｔ）＜１．１０                ・・・（３Ａ）
ただし、ｆｓ’は変倍時にて第１レンズ群が最も像面側に位置するズーム状態におけるズームレンズ全系の焦点距離、
ｆｔは望遠端でのズームレンズ全系の焦点距離
である。
【００３１】
条件式（３Ａ）の下限を下回らないようにすることで望遠側での全長を抑えやすくなる。また、条件式（３Ａ）の上限を上回らないようにすることで広角側での全長を抑えやすくなる。また、第３レンズ群による像面湾曲の補正効果を得やすくなる。
【００３２】
また、以下の条件式を満足するとより効果的に像面湾曲を補正できる。
【００３３】
−０．２＜（Ｄ３（ｗ）−Ｄ３（ｓ'））／ｆｗ＜０．３      ・・・（４）
ただし、Ｄ３（ｗ）は、広角端での第３レンズ群と第４レンズ群との間の間隔、
Ｄ３（ｓ'）は、全長最短ズーム状態での第３レンズ群と第４レンズ群との間の間隔
である。
【００３４】
また、条件式（４）の下限値を−０．１とするとより好ましい。さらに、条件式（４）の上限値を０．２とするとより好ましい。
【００３５】
さらに、第１レンズ群の移動量が以下の条件式を満足すると、より効果的に像面湾曲を補正できる。
【００３６】
−０．５＜Δ１Ｇ（ｓ'）／ｆｗ＜−０．１                  ・・・（５）
ただし、Δ１Ｇ（ｓ'）は、第１レンズ群の広角端での位置に対する全長最短ズーム状態での位置の差、
符号は物体側に進む方向を正符号、像側に進む方向を負符号
とする。
【００３７】
条件式（５）の下限を下回らないようにして、第１レンズ群の広角側での移動量を小さくし、収差等の変動を抑えることが好ましい。また、条件式（５）の上限を上回らないようにして、第１レンズ群の広角側での移動量を確保することで、第１レンズ群のコンペンセータとしての機能を維持しやすくなり、第３レンズ群の収差補正のための移動を行わせやすくなる。
【００３８】
また、条件式（５）の下限値を−０．４とするとより好ましい。さらに、条件式（５）の上限値を−０．２とするとより好ましい。
【００３９】
また、他の側面の本発明のズームレンズは、第３レンズ群は、像面側に移動後物体側に移動方向を反転させて移動するものである。
【００４０】
第３レンズ群をまず像面側に移動させることにより、第３レンズ群に入射する軸外光束の入射する高さを高くし変倍の際の非点収差等の変動量を補正することに有利となる。そして、望遠側では非点収差の影響が小さくなるので第３レンズ群を物体側に移動方向を反転させることで軸外光線の入射する高さを抑え第３レンズ群の径の小型化に有利となる。
【００４１】
さらに、以下の条件式を満足するとより効果的に像面湾曲等を補正できる。
【００４２】
−０．２＜（Ｄ３（ｗ）−Ｄ３（ｓ"））／ｆｗ＜  ０．３    ・・・（６）
ただし、Ｄ３（ｗ）は、広角端での第３レンズ群と第４レンズ群の間隔、
Ｄ３（ｓ"）は、第３レンズ群が最も像面側に位置するズーム状態における第３レンズ群と第４レンズ群との間の間隔、
ｆｗは、広角端でのズームレンズの焦点距離
である。
【００４３】
条件式（６）の下限を下回らないようにすることで像面湾曲の補正不足を抑えやすくなる。また、条件式（６）の上限を上回らないようにすることで像面湾曲の補正過剰を抑えやすくなる。
【００４４】
また、条件式（６）の下限値を−０．１とするとより好ましい。さらに、条件式（６）の上限値を０．２とするとより好ましい。
【００４５】
上述の各側面での発明は、複数同時に満足すると、小型ながら像面湾曲、非点収差の変動を抑えた小型なズームレンズを構成しやすくなり、変倍比、明るさ、画角の確保に一層有利となる。
【００４６】
また、上述何れかの発明において、以下の構成のいずれか、更には複数を同時に満足することがいっそうの高性能化や小型化、低コスト化等に有利となり好ましい。
【００４７】
さらに、以下の条件式を満足することが好ましい。
【００４８】
０．１＜ΣＧ１ｄ／ｆｗ＜０．２５                          ・・・（７）
ただし、ΣＧ１ｄは、第１レンズ群の光軸上での肉厚、
ｆｗは、広角端でのズームレンズ全系の焦点距離、
である。
【００４９】
条件式（７）は第１レンズ群の好ましい厚さを特定するものである。条件式（７）の下限を下回らないようにすることで、第１レンズ群の正レンズの軸上肉厚、および、負レンズの縁肉厚の確保に有利となり各レンズの屈折力を確保しやすくなり収差低減に有利となる。条件式（７）の上限を上回らないようにすることで、第１レンズ群の薄型化によるズームレンズの沈胴時の小型化に有利となる。
【００５０】
また、条件式（７）の下限値を０．１２とするとより好ましい。さらに、条件式（７）の上限値を０．２２とするとより好ましい。
【００５１】
更には、第１レンズ群の最も像側のレンズ面が凹面であり、そのレンズ面が非球面であることが好ましい。第１レンズ群における非点収差、コマ収差の補正に効果的である。
【００５２】
また、第１レンズ群の最も物体側のレンズ面が凹面であり、そのレンズ面が光軸から離れるほど負の屈折力が小さくなる非球面であることが好ましい。第１レンズ群の負の屈折力を確保しやすくなり、望遠側での軸上収差の補正に有利となる。また、非球面により物体側の凹面での周辺突出量を低減でき、小型化薄型化に有利となるとともに、広角側での歪曲収差の低減にも有利となる。
【００５３】
また、第１レンズ群の正レンズの材質が樹脂であることが好ましい。更には、第１レンズ群の正レンズの材質はエネルギー硬化型樹脂であり、第１レンズ群の負レンズ成分はその負レンズのレンズ面上に正レンズが直接成形されたものであることが好ましい。
【００５４】
第１レンズ群の正レンズの光学材料には、樹脂など有機材料、あるいは、有機材料に無機微粒子を拡散させて光学特性を変えたものなどを用いれば薄いレンズ加工が容易となる。そして出来る限り薄く加工するために、紫外線硬化型樹脂などのエネルギー硬化型樹脂を用い、負レンズに直接成形する方式で接合レンズを形成する方法の方が、接合面を非球面にした場合、製造がより容易となる。
【００５５】
また、第１レンズ群の正レンズと負レンズの接合面が非球面であることが好ましい。また、正レンズと負レンズの接合面を非球面にすることで、変倍時に第１レンズ群で発生する非点収差、色収差の変動量を良好に補正できる。正レンズを樹脂で成型すれば、このような非球面の接合面も製造が容易となる。
【００５６】
また、以下の条件式を満足することが好ましい。
【００５７】
３０＜（νｄＬ１ｎ−νｄＬ１ｐ）＜５０                    ・・・（８）
ただし、νｄＬ１ｎは第１レンズ群中の負レンズのアッベ数、
νｄＬ１ｐは第１レンズ群中の正レンズのアッベ数
である。
【００５８】
条件式（８）は第１レンズ群の好ましい材料を特定するものである。条件式（８）の下限を下回らないようにすることで、第１レンズ群の色収差の補正が行いやすくなる。条件式（８）の上限を上回らないようにすることで、正レンズと負レンズの材料の組合せの入手性や生産性の点で有利となる。
【００５９】
また、条件式（８）の下限値を３３とするとより好ましい。さらに、条件式（８）の上限値を４０とするとより好ましい。
【００６０】
また、第２レンズ群は、物体側より順に、正の屈折力を有する正レンズ成分と、負の屈折力を有する負レンズ成分からなることが好ましい。第２レンズ群で発生する球面収差、色収差、非点収差、コマ収差等の諸収差を抑えることができる最小のレンズ成分数とすることで小型化薄型化に有利である。
【００６１】
さらに、第２レンズ群の構成を物体側より順に正の屈折力を有するレンズユニット、負の屈折力を有するレンズユニットとすることにより、前側主点位置を第２レンズ群の物体よりにでき、望遠端にてその主点を第１レンズ群に近づけることで第２レンズ群の移動量に対する変倍負担の確保に有利となる。
【００６２】
また、第２レンズ群は、物体側から順に第１正レンズ、第２正レンズと負レンズの接合レンズからなることが好ましい。
【００６３】
第２レンズ群は、主に変倍を担うレンズ群となるため、より高い光学性能を確保するために、第２レンズ群内の収差を良好に補正しておいた方がよい。したがって、第２レンズ群の構成は、２枚の正レンズと１枚の負レンズを有して、球面収差、非点収差、コマ収差等の諸収差の補正を十分に行う構成とすることが好ましい。また接合レンズを有する構成とすることで、軸上色収差、倍率色収差の補正にも効果的である。
【００６４】
さらに、第２レンズ群の構成を物体側より順に第１正レンズ、第２正レンズと負レンズの接合レンズとすることにより、前側主点位置を第２レンズ群より前に出すのに有利である。
【００６５】
また、第２レンズ群は、物体側から順に１枚の正レンズと１枚の負レンズからなる構成としてもよい。第２レンズ群の光軸上の厚さを抑えつつ、球面収差、非点収差、色収差、コマ収差等の補正を行いやすく、また、主点も物体側よりにしやすく変倍比の確保に有利となる。更には、この場合、第２レンズ群が両凸の正レンズと物体側に凸面を向けた負メニスカスレンズとすると、正の屈折力を確保しつつ収差の低減や変倍比の確保に一層有利となる。
【００６６】
また、更には、以下の条件式を満足することが好ましい。
【００６７】
ｎｄＬ２ｐ＞１．６５                                      ・・・（１０Ａ）
νｄＬ２ｐ＞４０．０                                      ・・・（１０Ｂ）
νｄＬ２ｎ＜３０．０                                      ・・・（１０Ｃ）
ただし、ｎｄＬ２ｐは第２レンズ群中の正レンズのｄ線の屈折率、
νｄＬ２ｐは第２レンズ群中の正レンズのアッベ数、
νｄＬ２ｎは第２レンズ群中の負レンズのアッベ数、
である。
【００６８】
第２レンズ群の正レンズが条件式（１０Ａ）の下限を下回らないようにすることで、第３レンズ群での非点収差の発生を抑えやすくなる。また、第２レンズ群の正レンズが条件式（１０Ｂ）の下限を下回らず、且つ、負レンズが条件式（１０Ｃ）の上限を上回らないようにすることで、第３レンズ群での軸上色収差、倍率色収差の補正に有利となる。
【００６９】
また、条件式（１０Ａ）の下限値を１．６８とするとより好ましい。さらに、条件式（１０Ａ）の上限値は製造可能なレンズ材料となるが、上限値を設けて２．２以下とすると面形状の製造誤差を緩和しやすくなる。
【００７０】
また、条件式（１０Ｂ）の下限値を４５とするとより好ましい。さらに、条件式（１０Ｂ）に上限値は製造可能なレンズ材料となるが、上限値を設けて７５以下とすると材料の異常分散性の影響を抑えやすくなる。
【００７１】
また、条件式（１０Ｃ）の上限値を２５とするとより好ましい。さらに、条件式（１０Ｃ）の下限値は製造可能なレンズ材料となるが、下限値を設けて１７以上とすると材料の入手がしやすくなる。
【００７２】
また、第２レンズ群の最も物体側のレンズ面が非球面であることが好ましい。第２レンズ群の最も物体側の面上では軸上光束が発散して入射するので、非球面としたとき球面収差の補正に効果がある。
【００７３】
この非球面は光軸から離れるほど正の屈折力が小さくなる形状とすると、球面収差の発生を抑えつつ第２レンズ群のサイズを小さくしやすくなり効果的である。
【００７４】
また、第３レンズ群は、１枚の負レンズからなることが好ましい。最小の構成で実用的な収差レベルの補正は可能であり、小型化薄型化に有利となる。
【００７５】
更には、第３レンズ群中の負レンズは、少なくとも１面の非球面を有することが好ましい。この非球面は、負レンズの像面側のレンズ面であることが好ましい。第３レンズ群の負レンズは、広角端における最も外側を通過する軸外主光線と、望遠端における最も外側を通過する軸外主光線の光線高の差が大きくなりやすいため、非球面を設けることで、変倍の際の非点収差、歪曲収差の変動量の調整を行うことに有利となる。さらに、負レンズの物体側の面よりも像面側の面の方が、軸外主光線の入射する光軸からの高さが高くなるため、より効果的に収差変動の調整が行える。
【００７６】
また、第３レンズ群中の負レンズは、材質が樹脂であることが好ましい。樹脂材でも実用的な収差レベルの補正は可能であり、ズームレンズの安価化に貢献する。また、非球面の加工も行いやすく好ましい。
【００７７】
また、以下の条件式を満足することが好ましい。
【００７８】
２．２＜｛β２（ｔ）／β２（ｗ）｝／｛β３（ｔ）／β３（ｗ）｝＜３．０
・・・（１１）
ただし、β２（ｔ）は、第２レンズ群の望遠端での横倍率、
β２（ｗ）は、第２レンズ群の広角端での横倍率、
β３（ｔ）は、第３レンズ群の望遠端での横倍率、
β３（ｗ）は、第３レンズ群の広角端での横倍率、
である。
【００７９】
条件式（１１）は第２レンズ群と第３レンズ群の好ましい変倍寄与比を特定するものである。条件式（１１）の下限を下回らないようにすることで、第３レンズ群の変倍寄与を適度に抑え、像面湾曲補正効果をいっそう得やすくなる。条件式（１１）の上限を上回らないようにすることで、第２レンズ群の変倍寄与を適度に抑え、第２レンズ群の組み立て誤差による性能劣化の影響を低減しやすくなる。もしくは、第３レンズ群の変倍寄与を確保し、変倍比の確保に有利となる。
【００８０】
また、条件式（１１）の下限値を２．４とするとより好ましい。さらに、条件式（１１）の上限値を２．８とするとより好ましい。
【００８１】
また、第４レンズ群は、１枚の正レンズからなることが好ましい。最小の構成レンズ枚数で実用的な収差レベルの補正は可能であり、小型化薄型化に有利となる。
【００８２】
さらには、第４レンズ群中の正レンズは、少なくとも１面の非球面を有することが好ましい。その場合、非球面は正レンズの像面側のレンズ面がであることが好ましい。第４レンズ群の正レンズは、広角端における最も外側を通過する軸外主光線と、望遠端における最も外側を通過する軸外主光線の光線高の差が大きい為、非球面を設けることで、変倍の際の非点収差、歪曲収差の変動量を抑えるのに効果的である。さらに物体側よりも像面側の面の方が、軸外主光線高は、高くなるため、より効果的である。
【００８３】
また、第４レンズ群中の正レンズは、材質が樹脂であることが好ましい。樹脂材でも実用的な収差レベルの補正は可能であり、ズームレンズの安価化に貢献する。また、非球面を形成することも容易となる。
【００８４】
また、第４レンズ群は広角端よりも望遠端にて像側に位置することが好ましい。第４レンズ群にも増倍作用を持たせることができ、変倍比の確保にいっそう有利となる。
【００８５】
また、上述のズームレンズは撮像装置の撮影光学系に用いることができる。
【００８６】
また、上述のズームレンズは、射出瞳を像面から離しやすいため、斜入射による影響を受けやすい撮像素子を用いる撮像装置に用いることが好ましい。
【００８７】
つまり、本発明の撮像装置は、ズームレンズと、ズームレンズの像側に配置され、ズームレンズにより形成された像を電気信号に変換する撮像素子を有し、そのズームレンズが上述の少なくとも何れか記載のズームレンズであるものである。
【００８８】
このように構成することで、沈胴時に小型で高性能な撮像装置が得られる。
【００８９】
更には、以下の条件式を満足することが好ましい。
【００９０】
−１．２＜Ｈｆ２／Ｙ＜−０．７                            ・・・（９）
ただし、Ｈｆ２は、光軸上における第２レンズ群の物体側のレンズ面から第２レンズ群の前側主点までの距離、
符号は、前側主点が第２レンズ群よりも物体側にあるときが負符号、
Ｙは、とりうる有効撮像領域内での最大像高
である。
【００９１】
第１レンズ群を１つの負レンズ成分で構成することで第１レンズ群の薄型化を図り、その上で主たる変倍機能を持つ第２レンズ群の移動量を抑えつつ変倍比を確保できれば、第２レンズ群の移動量を抑えられ、移動のための鏡筒の小型化につながり、一層コンパクトに沈胴収納を行いやすくなる。
【００９２】
条件式（９）は第２レンズ群の好ましい主点位置を特定するものであり、第２レンズ群の変倍機能を確保しつつ移動量を抑えやすくするためのものである。第２レンズ群の前側主点位置を第２レンズ群よりも前に出すことで、変倍時の第２レンズ群の移動量を少なくすることができる。
【００９３】
条件式（９）の上限を上回らないようにすることで、主点位置を物体側より、ズームレンズの小型化薄型化に有利となる。また、条件式（９）の下限を下回らないようにすることで、主点が物体側に行き過ぎることを抑え、偏心による性能劣化を抑えやすくなる。
【００９４】
また、条件式（９）の下限値を−１．０とするとより好ましい。さらに、条件式（９）の上限値を−０．７５とするとより好ましい。
【００９５】
また、撮像装置が、電気信号に含まれる収差を補正する信号処理を行う画像処理部を有する構成としてもよい。ズームレンズの収差を許容することで一層の小型化等に有利となる。
【００９６】
上述の各条件式は、ズームレンズがフォーカシング機能を持つ場合は、もっとも遠距離に合焦した状態での構成とする。
【００９７】
遠距離物から近距離物へのフォーカシングは第１レンズ群の繰り出しや、ズームレンズ全体の繰り出し、第２レンズ群、第３レンズ群、第４レンズ群の移動などで行ってもよい。駆動の負担を低減しやすくするには、負屈折力の第３レンズ群もしくは正屈折力の第４レンズ群でフォーカシングを行うことが好ましい。
【発明の効果】
【００９８】
沈胴時の小型化に有利であり、変倍比、明るさ、画角を確保しても光学性能を確保しやすいズームレンズを提供できる。
【００９９】
更には、そのようなズームレンズを備えた小型の撮像装置を提供できる。
【発明を実施するための最良の形態】
【０１００】
以下に示す各実施例では、ズーム比が３倍程度と大きく広角端での画角が６０°程度と広角な結像性能が高いズームレンズでありながら、負の屈折力を有する第１レンズ群の軸上厚さが薄く、鏡筒の沈胴時のサイズのコンパクト化を実現したコンパクトなズームレンズを実現している。また、ＣＣＤやＣＭＯＳ等の電子撮像素子に適している安価なズームレンズとなっている。
【０１０１】
実施例１〜６は、第２レンズ群が、物体側から順に正レンズ、正レンズと負レンズの接合レンズの構成であり、実施例７〜１１は、第２レンズ群が、物体側から順に正レンズ、負レンズの構成である。
【０１０２】
また、実施例１〜１１は、第３レンズ群が樹脂材で構成されている。
【０１０３】
さらに、実施例１、４、６、１０、１１は、第４レンズ群が硝子材で構成され、実施例２、３、５、７、９は、第４レンズ群が樹脂材で構成されている。
【０１０４】
また、実施例１、２、３、１０、１１は、第１レンズ群の負レンズと正レンズの接合面が非球面である。
【０１０５】
第１レンズ群の移動について、各実施例にて、広角端から望遠端への変倍時に像側に移動後物体側に移動する。実施例１から９は広角端よりも望遠端にて像側に位置する。実施例１０，１１は広角端よりも望遠端にて物体側に位置する。
【０１０６】
第２レンズ群の移動について、各実施例にて、広角端から望遠端への変倍時に物体側にのみ移動する。
【０１０７】
第３レンズ群の移動について、各実施例にて像側に移動後、物体側に移動する。第３レンズ群が最も像側に位置する状態は、各実施例にて異なり、上から２番目の図が最も像側に位置する状態となる実施例は実施例１、８、９、１０、上から３番目の図が最も像側に位置する状態となる実施例は実施例２、３、４、５、７、１１、上から４番目の図が最も像側に位置する状態となる実施例は実施例６である。実施例２、３、６は広角端よりも望遠端にて像側に位置する。実施例１、４、５、７、８、９、１０、１１は広角端よりも望遠端にて物体側に位置する。
【０１０８】
第４レンズ群の移動について、各実施例にて広角端よりも望遠端にて像側に位置する。実施例１、４、６、１０、１１は、像側にのみ移動する。実施例２、３、５、７、８、９は像側に移動後、物体側に移動する。
【０１０９】
実施例１乃至１１は全ズーム状態にて有効撮像領域は矩形で一定である。各実施形態での条件式対応値は無限遠物点に合焦した状態での値である。全長は、ズームレンズの入射面から射出面までの光軸上の距離にバックフォーカスを加えたものである。バックフォーカスは、空気換算長で示している。
【０１１０】
以下、本発明のズームレンズの実施例１〜１１について説明する。実施例１〜１１の無限遠物点合焦時の広角端（ａ）、広角側変化点（ｂ）、中間状態（第１レンズ群が最も像側に位置する状態）（ｃ）、望遠側変化点（ｄ）、望遠端（ｅ）でのレンズ断面図をそれぞれ図１〜図１１に示す。各図中、第１レンズ群はＧ１、第２レンズ群はＧ２、開口絞りはＳ、第３レンズ群はＧ３、第４レンズ群はＧ４、光学的ローパスフィルターはＦ、電子撮像素子であるＣＣＤのカバーガラスはＣ、ＣＣＤの像面はＩで示してある。なお、近赤外シャープカットコートについては、例えば光学的ローパスフィルターＦに直接コートを施こしてもよく、また、別に赤外カット吸収フィルターを配置してもよい。
【０１１１】
実施例１のズームレンズは、図１に示すように、物体側から順に、負屈折力の第１レンズ群Ｇ１、開口絞りＳ、正屈折力の第２レンズ群Ｇ２、負屈折力の第３レンズ群Ｇ３、正屈折力の第４レンズ群Ｇ４から構成されている。
【０１１２】
広角端から望遠端への変倍をする際の移動状態を以下に示す。ここで、広角端から中間状態までの間で第２レンズ群Ｇ２又は第４レンズ群Ｇ４の移動方向の変化する点を広角側変化点とし、中間状態から望遠端までの間で第２レンズ群Ｇ２又は第４レンズ群Ｇ４の移動方向の変化する点を望遠側変化点とした。以下、同じ。
【０１１３】
第１レンズ群Ｇ１は、広角端から中間状態まで像側へ移動し、中間状態から望遠端まで物体側へ移動し、広角端から望遠端まで物体側に凹の軌跡を描いて移動する。望遠端では広角端の位置より若干像側に位置する。
【０１１４】
開口絞りＳと第２レンズ群Ｇ２は、広角端から望遠端まで、第１レンズ群Ｇ１との間隔を狭め、第３レンズ群Ｇ３との間隔を広げながら、一体に物体側へ移動する。望遠端では、広角端の位置より物体側に位置する。
【０１１５】
第３レンズ群Ｇ３は、広角端から広角側変化点まで、第２レンズ群Ｇ２との間隔を広げ、第４レンズ群Ｇ４との間隔を狭めながら、像側へ移動し、広角側変化点から望遠端まで、第２レンズ群Ｇ２及び第４レンズ群Ｇ４との間隔を広げながら物体側へ移動し、広角端から望遠端まで物体側に凹の軌跡を描いて移動する。望遠端では広角端の位置より若干物体側に位置する。
【０１１６】
第４レンズ群Ｇ４は、広角端から広角側変化点まで、第３レンズ群Ｇ３との間隔を狭め、広角側変化点から望遠端まで、第３レンズ群Ｇ３との間隔を広げながら、像側へ移動する。望遠端では、広角端の位置より像側に位置する。
【０１１７】
物体側から順に、第１レンズ群Ｇ１は、両凹負レンズと両凸正レンズの接合レンズからなり、第２レンズ群Ｇ２は、両凸正レンズと、物体側に凸面を向けた正メニスカスレンズと物体側に凸面を向けた負メニスカスレンズの接合レンズとからなり、第３レンズ群Ｇ３は、物体側に凸面を向けた負メニスカスレンズ１枚からなり、第４レンズ群Ｇ４は、両凸正レンズ１枚からなる。
【０１１８】
非球面は、第１レンズ群Ｇ１の接合レンズの全面、第２レンズ群Ｇ２の両凸正レンズの両面、第３レンズ群Ｇ３の負メニスカスレンズの像側の面、第４レンズ群Ｇ４の両凸正レンズの像側の面の７面に用いている。
【０１１９】
実施例２のズームレンズは、図２に示すように、物体側から順に、負屈折力の第１レンズ群Ｇ１、開口絞りＳ、正屈折力の第２レンズ群Ｇ２、負屈折力の第３レンズ群Ｇ３、正屈折力の第４レンズ群Ｇ４から構成されている。
【０１２０】
広角端から望遠端への変倍をする際の移動状態を以下に示す。
【０１２１】
第１レンズ群Ｇ１は、広角端から中間状態まで像側へ移動し、中間状態から望遠端まで物体側へ移動し、広角端から望遠端まで物体側に凹の軌跡を描いて移動する。望遠端では広角端の位置より若干像側に位置する。
【０１２２】
開口絞りＳと第２レンズ群Ｇ２は、広角端から望遠端まで、第１レンズ群Ｇ１との間隔を狭め、第３レンズ群Ｇ３との間隔を広げながら、一体に物体側へ移動する。望遠端では、広角端の位置より物体側に位置する。
【０１２３】
第３レンズ群Ｇ３は、広角端から広角側変化点まで、第２レンズ群Ｇ２及び第４レンズ群Ｇ４との間隔を広げながら、像側へ移動し、広角側変化点から中間状態まで、第２レンズ群Ｇ２との間隔を広げ、第４レンズ群Ｇ４との間隔を狭めながら、像側へ移動し、中間状態から望遠側変化点まで、第２レンズ群Ｇ２及び第４レンズ群Ｇ４との間隔を広げながら物体側へ移動し、望遠側変化点から望遠端まで、第２レンズ群Ｇ２との間隔を広げ、第４レンズ群Ｇ４との間隔を狭めながら物体側へ移動し、広角端から望遠端まで物体側に凹の軌跡を描いて移動する。望遠端では広角端の位置より若干像側に位置する。
【０１２４】
第４レンズ群Ｇ４は、広角端から広角側変化点まで、第３レンズ群Ｇ３との間隔を広げ、広角側変化点から中間状態まで、第３レンズ群Ｇ３との間隔を狭め、中間状態から望遠側変化点まで、第３レンズ群Ｇ３との間隔を広げながら像側へ移動し、望遠側変化点から望遠端まで、第３レンズ群Ｇ３との間隔を狭めながら物体側へ移動し、広角端から望遠端まで物体側に凹の軌跡を描いて移動する。望遠端では、広角端の位置より像側に位置する。
【０１２５】
物体側から順に、第１レンズ群Ｇ１は、両凹負レンズと物体側に凸面を向けた正メニスカスレンズの接合レンズからなり、第２レンズ群Ｇ２は、両凸正レンズと、物体側に凸面を向けた正メニスカスレンズと物体側に凸面を向けた負メニスカスレンズの接合レンズとからなり、第３レンズ群Ｇ３は、物体側に凸面を向けた負メニスカスレンズ１枚からなり、第４レンズ群Ｇ４は、両凸正レンズ１枚からなる。
【０１２６】
非球面は、第１レンズ群Ｇ１の接合レンズの全面、第２レンズ群Ｇ２の両凸正レンズの両面、第３レンズ群Ｇ３の負メニスカスレンズの像側の面、第４レンズ群Ｇ４の両凸正レンズの像側の面の７面に用いている。
【０１２７】
実施例３のズームレンズは、図３に示すように、物体側から順に、負屈折力の第１レンズ群Ｇ１、開口絞りＳ、正屈折力の第２レンズ群Ｇ２、負屈折力の第３レンズ群Ｇ３、正屈折力の第４レンズ群Ｇ４から構成されている。
【０１２８】
広角端から望遠端への変倍をする際の移動状態を以下に示す。
【０１２９】
第１レンズ群Ｇ１は、広角端から中間状態まで像側へ移動し、中間状態から望遠端まで物体側へ移動し、広角端から望遠端まで物体側に凹の軌跡を描いて移動する。望遠端では広角端の位置より若干像側に位置する。
【０１３０】
開口絞りＳと第２レンズ群Ｇ２は、広角端から望遠端まで、第１レンズ群Ｇ１との間隔を狭め、第３レンズ群Ｇ３との間隔を広げながら、一体に物体側へ移動する。望遠端では、広角端の位置より物体側に位置する。
【０１３１】
第３レンズ群Ｇ３は、広角端から広角側変化点まで、第２レンズ群Ｇ２及び第４レンズ群Ｇ４との間隔を広げながら、像側へ移動し、広角側変化点から中間状態まで、第２レンズ群Ｇ２との間隔を広げ、第４レンズ群Ｇ４との間隔を狭めながら、像側へ移動し、中間状態から望遠端まで、第２レンズ群Ｇ２及び第４レンズ群Ｇ４との間隔を広げながら物体側へ移動し、広角端から望遠端まで物体側に凹の軌跡を描いて移動する。望遠端では広角端の位置より若干像側に位置する。
【０１３２】
第４レンズ群Ｇ４は、広角端から広角側変化点まで、第３レンズ群Ｇ３との間隔を広げ、広角側変化点から中間状態まで、第３レンズ群Ｇ３との間隔を狭め、中間状態から望遠側変化点まで、第３レンズ群Ｇ３との間隔を広げながら像側へ移動し、望遠側変化点から望遠端まで、第３レンズ群Ｇ３との間隔を広げながら物体側へ移動し、広角端から望遠端まで物体側に凹の軌跡を描いて移動する。望遠端では、広角端の位置より像側に位置する。
【０１３３】
物体側から順に、第１レンズ群Ｇ１は、両凹負レンズと物体側に凸面を向けた正メニスカスレンズの接合レンズからなり、第２レンズ群Ｇ２は、両凸正レンズと、物体側に凸面を向けた正メニスカスレンズと物体側に凸面を向けた負メニスカスレンズの接合レンズとからなり、第３レンズ群Ｇ３は、物体側に凸面を向けた負メニスカスレンズ１枚からなり、第４レンズ群Ｇ４は、両凸正レンズ１枚からなる。
【０１３４】
非球面は、第１レンズ群Ｇ１の接合レンズの全面、第２レンズ群Ｇ２の両凸正レンズの両面、第３レンズ群Ｇ３の負メニスカスレンズの像側の面、第４レンズ群Ｇ４の両凸正レンズの像側の面の７面に用いている。
【０１３５】
実施例４のズームレンズは、図４に示すように、物体側から順に、負屈折力の第１レンズ群Ｇ１、開口絞りＳ、正屈折力の第２レンズ群Ｇ２、負屈折力の第３レンズ群Ｇ３、正屈折力の第４レンズ群Ｇ４から構成されている。
【０１３６】
広角端から望遠端への変倍をする際の移動状態を以下に示す。
【０１３７】
第１レンズ群Ｇ１は、広角端から中間状態まで像側へ移動し、中間状態から望遠端まで物体側へ移動し、広角端から望遠端まで物体側に凹の軌跡を描いて移動する。望遠端では広角端の位置より若干像側に位置する。
【０１３８】
開口絞りＳと第２レンズ群Ｇ２は、広角端から望遠端まで、第１レンズ群Ｇ１との間隔を狭め、第３レンズ群Ｇ３との間隔を広げながら、一体に物体側へ移動する。望遠端では、広角端の位置より物体側に位置する。
【０１３９】
第３レンズ群Ｇ３は、広角端から広角側変化点まで、第２レンズ群Ｇ２及び第４レンズ群Ｇ４との間隔を広げながら、像側へ移動し、広角側変化点から中間状態まで、第２レンズ群Ｇ２との間隔を広げ、第４レンズ群Ｇ４との間隔を狭めながら、像側へ移動し、中間状態から望遠端まで、第２レンズ群Ｇ２及び第４レンズ群Ｇ４との間隔を広げながら物体側へ移動し、広角端から望遠端まで物体側に凹の軌跡を描いて移動する。望遠端では広角端の位置より物体側に位置する。
【０１４０】
第４レンズ群Ｇ４は、広角端から広角側変化点まで、第３レンズ群Ｇ３との間隔を広げ、広角側変化点から中間状態まで、第３レンズ群Ｇ３との間隔を狭め、中間状態から望遠端まで、第３レンズ群Ｇ３との間隔を広げながら像側へ移動する。望遠端では、広角端の位置より像側に位置する。
【０１４１】
物体側から順に、第１レンズ群Ｇ１は、両凹負レンズと物体側に凸面を向けた正メニスカスレンズの接合レンズからなり、第２レンズ群Ｇ２は、両凸正レンズと、物体側に凸面を向けた正メニスカスレンズと物体側に凸面を向けた負メニスカスレンズの接合レンズとからなり、第３レンズ群Ｇ３は、物体側に凸面を向けた負メニスカスレンズ１枚からなり、第４レンズ群Ｇ４は、両凸正レンズ１枚からなる。
【０１４２】
非球面は、第１レンズ群Ｇ１の接合レンズの最も物体側の面及び最も像側の面、第２レンズ群Ｇ２の両凸正レンズの両面、第３レンズ群Ｇ３の負メニスカスレンズの像側の面、第４レンズ群Ｇ４の両凸正レンズの像側の面の６面に用いている。
【０１４３】
実施例５のズームレンズは、図５に示すように、物体側から順に、負屈折力の第１レンズ群Ｇ１、開口絞りＳ、正屈折力の第２レンズ群Ｇ２、負屈折力の第３レンズ群Ｇ３、正屈折力の第４レンズ群Ｇ４から構成されている。
【０１４４】
広角端から望遠端への変倍をする際の移動状態を以下に示す。
【０１４５】
第１レンズ群Ｇ１は、広角端から中間状態まで像側へ移動し、中間状態から望遠端まで物体側へ移動し、広角端から望遠端まで物体側に凹の軌跡を描いて移動する。望遠端では広角端の位置より像側に位置する。
【０１４６】
開口絞りＳと第２レンズ群Ｇ２は、広角端から望遠端まで、第１レンズ群Ｇ１との間隔を狭め、第３レンズ群Ｇ３との間隔を広げながら、一体に物体側へ移動する。望遠端では、広角端の位置より物体側に位置する。
【０１４７】
第３レンズ群Ｇ３は、広角端から広角側変化点まで、第２レンズ群Ｇ２及び第４レンズ群Ｇ４との間隔を広げながら、像側へ移動し、広角側変化点から中間状態まで、第２レンズ群Ｇ２との間隔を広げ、第４レンズ群Ｇ４との間隔を狭めながら、像側へ移動し、中間状態から望遠端まで、第２レンズ群Ｇ２及び第４レンズ群Ｇ４との間隔を広げながら物体側へ移動し、広角端から望遠端まで物体側に凹の軌跡を描いて移動する。望遠端では広角端の位置より若干像側に位置する。
【０１４８】
第４レンズ群Ｇ４は、広角端から広角側変化点まで、第３レンズ群Ｇ３との間隔を広げ、広角側変化点から中間状態まで、第３レンズ群Ｇ３との間隔を狭め、中間状態から望遠側変化点まで、第３レンズ群Ｇ３との間隔を広げながら像側へ移動し、望遠側変化点から望遠端まで、第３レンズ群Ｇ３との間隔を広げながら物体側へ移動し、広角端から望遠端まで物体側に凹の軌跡を描いて移動する。望遠端では、広角端の位置より像側に位置する。
【０１４９】
物体側から順に、第１レンズ群Ｇ１は、両凹負レンズと物体側に凸面を向けた正メニスカスレンズの接合レンズからなり、第２レンズ群Ｇ２は、両凸正レンズと、物体側に凸面を向けた正メニスカスレンズと物体側に凸面を向けた負メニスカスレンズの接合レンズとからなり、第３レンズ群Ｇ３は、物体側に凸面を向けた負メニスカスレンズ１枚からなり、第４レンズ群Ｇ４は、両凸正レンズ１枚からなる。
【０１５０】
非球面は、第１レンズ群Ｇ１の接合レンズの最も物体側の面及び最も像側の面、第２レンズ群Ｇ２の両凸正レンズの両面、第３レンズ群Ｇ３の負メニスカスレンズの像側の面、第４レンズ群Ｇ４の両凸正レンズの像側の面の６面に用いている。
【０１５１】
実施例６のズームレンズは、図６に示すように、物体側から順に、負屈折力の第１レンズ群Ｇ１、開口絞りＳ、正屈折力の第２レンズ群Ｇ２、負屈折力の第３レンズ群Ｇ３、正屈折力の第４レンズ群Ｇ４から構成されている。
【０１５２】
広角端から望遠端への変倍をする際の移動状態を以下に示す。
【０１５３】
第１レンズ群Ｇ１は、広角端から中間状態まで像側へ移動し、中間状態から望遠端まで物体側へ移動し、広角端から望遠端まで物体側に凹の軌跡を描いて移動する。望遠端では広角端の位置より若干像側に位置する。
【０１５４】
開口絞りＳと第２レンズ群Ｇ２は、広角端から望遠端まで、第１レンズ群Ｇ１との間隔を狭め、第３レンズ群Ｇ３との間隔を広げながら、一体に物体側へ移動する。望遠端では、広角端の位置より物体側に位置する。
【０１５５】
第３レンズ群Ｇ３は、広角端から広角側変化点まで、第２レンズ群Ｇ２との間隔を広げ、第４レンズ群Ｇ４との間隔を狭めながら、像側へ移動し、広角側変化点から望遠側変化点まで、第２レンズ群Ｇ２及び第４レンズ群Ｇ４との間隔を広げながら、像側へ移動し、望遠側変化点から望遠端まで、第２レンズ群Ｇ２及び第４レンズ群Ｇ４との間隔を広げながら物体側へ移動し、広角端から望遠端まで物体側に凹の軌跡を描いて移動する。望遠端では広角端の位置より像側に位置する。
【０１５６】
第４レンズ群Ｇ４は、広角端から広角側変化点まで、第３レンズ群Ｇ３との間隔を狭め、広角側変化点から望遠端まで、第３レンズ群Ｇ３との間隔を広げながら像側へ移動する。望遠端では、広角端の位置より像側に位置する。
【０１５７】
物体側から順に、第１レンズ群Ｇ１は、両凹負レンズと物体側に凸面を向けた正メニスカスレンズの接合レンズからなり、第２レンズ群Ｇ２は、両凸正レンズと、両凸正レンズと両凹負レンズの接合レンズとからなり、第３レンズ群Ｇ３は、物体側に凸面を向けた負メニスカスレンズ１枚からなり、第４レンズ群Ｇ４は、両凸正レンズ１枚からなる。
【０１５８】
非球面は、第１レンズ群Ｇ１の接合レンズの最も物体側の面及び最も像側の面、第２レンズ群Ｇ２の両凸正レンズの両面、第３レンズ群Ｇ３の負メニスカスレンズの像側の面、第４レンズ群Ｇ４の両凸正レンズの像側の面の６面に用いている。
【０１５９】
実施例７のズームレンズは、図７に示すように、物体側から順に、負屈折力の第１レンズ群Ｇ１、開口絞りＳ、正屈折力の第２レンズ群Ｇ２、負屈折力の第３レンズ群Ｇ３、正屈折力の第４レンズ群Ｇ４から構成されている。
【０１６０】
広角端から望遠端への変倍をする際の移動状態を以下に示す。
【０１６１】
第１レンズ群Ｇ１は、広角端から中間状態まで像側へ移動し、中間状態から望遠端まで物体側へ移動し、広角端から望遠端まで物体側に凹の軌跡を描いて移動する。望遠端では広角端の位置より若干像側に位置する。
【０１６２】
開口絞りＳと第２レンズ群Ｇ２は、広角端から望遠端まで、第１レンズ群Ｇ１との間隔を狭め、第３レンズ群Ｇ３との間隔を広げながら、一体に物体側へ移動する。望遠端では、広角端の位置より物体側に位置する。
【０１６３】
第３レンズ群Ｇ３は、広角端から広角側変化点まで、第２レンズ群Ｇ２及び第４レンズ群Ｇ４との間隔を広げながら、像側へ移動し、広角側変化点から中間状態まで、第２レンズ群Ｇ２との間隔を広げ、第４レンズ群Ｇ４との間隔を狭めながら、像側へ移動し、中間状態から望遠端まで、第２レンズ群Ｇ２及び第４レンズ群Ｇ４との間隔を広げながら物体側へ移動し、広角端から望遠端まで物体側に凹の軌跡を描いて移動する。望遠端では広角端の位置より物体側に位置する。
【０１６４】
第４レンズ群Ｇ４は、広角端から広角側変化点まで、第３レンズ群Ｇ３との間隔を広げ、広角側変化点から中間状態まで、第３レンズ群Ｇ３との間隔を狭め、中間状態から望遠側変化点まで、第３レンズ群Ｇ３との間隔を広げながら像側へ移動し、望遠側変化点から望遠端まで、第３レンズ群Ｇ３との間隔を広げながら物体側へ移動し、広角端から望遠端まで物体側に凹の軌跡を描いて移動する。望遠端では、広角端の位置より像側に位置する。
【０１６５】
物体側から順に、第１レンズ群Ｇ１は、両凹負レンズと物体側に凸面を向けた正メニスカスレンズの接合レンズからなり、第２レンズ群Ｇ２は、両凸正レンズと、物体側に凸面を向けた負メニスカスレンズとからなり、第３レンズ群Ｇ３は、物体側に凸面を向けた負メニスカスレンズ１枚からなり、第４レンズ群Ｇ４は、両凸正レンズ１枚からなる。
【０１６６】
非球面は、第１レンズ群Ｇ１の接合レンズの最も物体側の面及び最も像側の面、第２レンズ群Ｇ２の両凸正レンズの両面、第３レンズ群Ｇ３の負メニスカスレンズの像側の面、第４レンズ群Ｇ４の両凸正レンズの像側の面の６面に用いている。
【０１６７】
実施例８のズームレンズは、図８に示すように、物体側から順に、負屈折力の第１レンズ群Ｇ１、開口絞りＳ、正屈折力の第２レンズ群Ｇ２、負屈折力の第３レンズ群Ｇ３、正屈折力の第４レンズ群Ｇ４から構成されている。
【０１６８】
広角端から望遠端への変倍をする際の移動状態を以下に示す。
【０１６９】
第１レンズ群Ｇ１は、広角端から中間状態まで像側へ移動し、中間状態から望遠端まで物体側へ移動し、広角端から望遠端まで物体側に凹の軌跡を描いて移動する。望遠端では広角端の位置より若干像側に位置する。
【０１７０】
開口絞りＳと第２レンズ群Ｇ２は、広角端から望遠端まで、第１レンズ群Ｇ１との間隔を狭め、第３レンズ群Ｇ３との間隔を広げながら、一体に物体側へ移動する。望遠端では、広角端の位置より物体側に位置する。
【０１７１】
第３レンズ群Ｇ３は、広角端から広角側変化点まで、第２レンズ群Ｇ２との間隔を広げ、第４レンズ群Ｇ４との間隔を狭めながら、像側へ移動し、広角側変化点から望遠端まで、第２レンズ群Ｇ２及び第４レンズ群Ｇ４との間隔を広げながら物体側へ移動し、広角端から望遠端まで物体側に凹の軌跡を描いて移動する。望遠端では広角端の位置より物体側に位置する。
【０１７２】
第４レンズ群Ｇ４は、広角端から広角側変化点まで、第３レンズ群Ｇ３との間隔を狭め、広角側変化点から望遠側変化点まで、第３レンズ群Ｇ３との間隔を広げながら像側へ移動し、望遠側変化点から望遠端まで、第３レンズ群Ｇ３との間隔を広げながら物体側へ移動し、広角端から望遠端まで物体側に凹の軌跡を描いて移動する。望遠端では、広角端の位置より像側に位置する。
【０１７３】
物体側から順に、第１レンズ群Ｇ１は、両凹負レンズと物体側に凸面を向けた正メニスカスレンズの接合レンズからなり、第２レンズ群Ｇ２は、両凸正レンズと、物体側に凸面を向けた負メニスカスレンズとからなり、第３レンズ群Ｇ３は、物体側に凸面を向けた負メニスカスレンズ１枚からなり、第４レンズ群Ｇ４は、像側に凸面を向けた正メニスカスレンズ１枚からなる。
【０１７４】
非球面は、第１レンズ群Ｇ１の接合レンズの最も物体側の面及び最も像側の面、第２レンズ群Ｇ２の両凸正レンズの両面、第３レンズ群Ｇ３の負メニスカスレンズの像側の面、第４レンズ群Ｇ４の正メニスカスレンズの像側の面の６面に用いている。
【０１７５】
実施例９のズームレンズは、図９に示すように、物体側から順に、負屈折力の第１レンズ群Ｇ１、開口絞りＳ、正屈折力の第２レンズ群Ｇ２、負屈折力の第３レンズ群Ｇ３、正屈折力の第４レンズ群Ｇ４から構成されている。
【０１７６】
広角端から望遠端への変倍をする際の移動状態を以下に示す。
【０１７７】
第１レンズ群Ｇ１は、広角端から中間状態まで像側へ移動し、中間状態から望遠端まで物体側へ移動し、広角端から望遠端まで物体側に凹の軌跡を描いて移動する。望遠端では広角端の位置より若干像側に位置する。
【０１７８】
開口絞りＳと第２レンズ群Ｇ２は、広角端から望遠端まで、第１レンズ群Ｇ１との間隔を狭め、第３レンズ群Ｇ３との間隔を広げながら、一体に物体側へ移動する。望遠端では、広角端の位置より物体側に位置する。
【０１７９】
第３レンズ群Ｇ３は、広角端から広角側変化点まで、第２レンズ群Ｇ２との間隔を広げ、第４レンズ群Ｇ４との間隔を狭めながら、像側へ移動し、広角側変化点から望遠端まで、第２レンズ群Ｇ２及び第４レンズ群Ｇ４との間隔を広げながら物体側へ移動し、広角端から望遠端まで物体側に凹の軌跡を描いて移動する。望遠端では広角端の位置より物体側に位置する。
【０１８０】
第４レンズ群Ｇ４は、広角端から広角側変化点まで、第３レンズ群Ｇ３との間隔を狭め、広角側変化点から望遠側変化点まで、第３レンズ群Ｇ３との間隔を広げながら像側へ移動し、望遠側変化点から望遠端まで、第３レンズ群Ｇ３との間隔を広げながら物体側へ移動し、広角端から望遠端まで物体側に凹の軌跡を描いて移動する。望遠端では、広角端の位置より像側に位置する。
【０１８１】
物体側から順に、第１レンズ群Ｇ１は、両凹負レンズと物体側に凸面を向けた正メニスカスレンズの接合レンズからなり、第２レンズ群Ｇ２は、両凸正レンズと、物体側に凸面を向けた負メニスカスレンズとからなり、第３レンズ群Ｇ３は、物体側に凸面を向けた負メニスカスレンズ１枚からなり、第４レンズ群Ｇ４は、像側に両凸正レンズ１枚からなる。
【０１８２】
非球面は、第１レンズ群Ｇ１の接合レンズの最も物体側の面及び最も像側の面、第２レンズ群Ｇ２の両凸正レンズの両面、第３レンズ群Ｇ３の負メニスカスレンズの像側の面、第４レンズ群Ｇ４の両凸正レンズの両面の７面に用いている。
【０１８３】
実施例１０のズームレンズは、図１０に示すように、物体側から順に、負屈折力の第１レンズ群Ｇ１、開口絞りＳ、正屈折力の第２レンズ群Ｇ２、負屈折力の第３レンズ群Ｇ３、正屈折力の第４レンズ群Ｇ４から構成されている。
【０１８４】
広角端から望遠端への変倍をする際の移動状態を以下に示す。
【０１８５】
第１レンズ群Ｇ１は、広角端から中間状態まで像側へ移動し、中間状態から望遠端まで物体側へ移動し、広角端から望遠端まで物体側に凹の軌跡を描いて移動する。望遠端では広角端の位置より若干像側に位置する。
【０１８６】
開口絞りＳと第２レンズ群Ｇ２は、広角端から望遠端まで、第１レンズ群Ｇ１との間隔を狭め、第３レンズ群Ｇ３との間隔を広げながら、一体に物体側へ移動する。望遠端では、広角端の位置より物体側に位置する。
【０１８７】
第３レンズ群Ｇ３は、広角端から広角側変化点まで、第２レンズ群Ｇ２との間隔を広げ、第４レンズ群Ｇ４との間隔を狭めながら、像側へ移動し、広角側変化点から望遠端まで、第２レンズ群Ｇ２及び第４レンズ群Ｇ４との間隔を広げながら物体側へ移動し、広角端から望遠端まで物体側に凹の軌跡を描いて移動する。望遠端では広角端の位置より物体側に位置する。
【０１８８】
第４レンズ群Ｇ４は、広角端から広角側変化点まで、第３レンズ群Ｇ３との間隔を狭め、広角側変化点から望遠端まで、第３レンズ群Ｇ３との間隔を広げながら像側へ移動する。望遠端では、広角端の位置より像側に位置する。
【０１８９】
物体側から順に、第１レンズ群Ｇ１は、両凹負レンズと物体側に凸面を向けた正メニスカスレンズの接合レンズからなり、第２レンズ群Ｇ２は、両凸正レンズと、物体側に凸面を向けた負メニスカスレンズとからなり、第３レンズ群Ｇ３は、物体側に凸面を向けた負メニスカスレンズ１枚からなり、第４レンズ群Ｇ４は、両凸正レンズ１枚からなる。
【０１９０】
非球面は、第１レンズ群Ｇ１の接合レンズの全面、第２レンズ群Ｇ２の両凸正レンズの両面、第３レンズ群Ｇ３の負メニスカスレンズの像側の面、第４レンズ群Ｇ４の両凸正レンズの像側の面の７面に用いている。
【０１９１】
実施例８のズームレンズは、図８に示すように、物体側から順に、負屈折力の第１レンズ群Ｇ１、開口絞りＳ、正屈折力の第２レンズ群Ｇ２、負屈折力の第３レンズ群Ｇ３、正屈折力の第４レンズ群Ｇ４から構成されている。
【０１９２】
広角端から望遠端への変倍をする際の移動状態を以下に示す。
【０１９３】
第１レンズ群Ｇ１は、広角端から中間状態まで像側へ移動し、中間状態から望遠端まで物体側へ移動し、広角端から望遠端まで物体側に凹の軌跡を描いて移動する。望遠端では広角端の位置より物体側に位置する。
【０１９４】
開口絞りＳと第２レンズ群Ｇ２は、広角端から望遠端まで、第１レンズ群Ｇ１との間隔を狭め、第３レンズ群Ｇ３との間隔を広げながら、一体に物体側へ移動する。望遠端では、広角端の位置より物体側に位置する。
【０１９５】
第３レンズ群Ｇ３は、広角端から中間状態まで、第２レンズ群Ｇ２との間隔を広げ、第４レンズ群Ｇ４との間隔を狭めながら、像側へ移動し、中間状態から望遠端まで、第２レンズ群Ｇ２及び第４レンズ群Ｇ４との間隔を広げながら物体側へ移動し、広角端から望遠端まで物体側に凹の軌跡を描いて移動する。望遠端では広角端の位置より物体側に位置する。
【０１９６】
第４レンズ群Ｇ４は、広角端から中間状態まで、第３レンズ群Ｇ３との間隔を狭め、中間状態から望遠端まで、第３レンズ群Ｇ３との間隔を広げながら像側へ移動する。望遠端では、広角端の位置より像側に位置する。
【０１９７】
物体側から順に、第１レンズ群Ｇ１は、両凹負レンズと物体側に凸面を向けた正メニスカスレンズの接合レンズからなり、第２レンズ群Ｇ２は、両凸正レンズと、物体側に凸面を向けた負メニスカスレンズとからなり、第３レンズ群Ｇ３は、物体側に凸面を向けた負メニスカスレンズ１枚からなり、第４レンズ群Ｇ４は、像側に凸面を向けた正メニスカスレンズ１枚からなる。
【０１９８】
非球面は、第１レンズ群Ｇ１の接合レンズの全面、第２レンズ群Ｇ２の両凸正レンズの両面、第３レンズ群Ｇ３の負メニスカスレンズの像側の面、第４レンズ群Ｇ４の正メニスカスレンズの像側の面の７面に用いている。
【０１９９】
以下、各実施例におけるレンズの数値データを示す。
【０２００】
各実施例におけるレンズの数値データにおいては、Ｒは各レンズ面の曲率半径、Ｄは各レンズの肉厚または間隔、Ｎｄは各レンズのｄ線における屈折率、νｄは各レンズのｄ線におけるアッベ数、Ｋは円錐係数、A4、A6、A8、A10は非球面係数、E±nは×１０±nをそれぞれ示している。
【０２０１】
また、各非球面形状は、各実施例における各非球面係数を用いて、以下の式で表される。
【０２０２】
Ｚ＝（Ｙ2／ｒ）／[１＋｛１−（１＋Ｋ）・（Ｙ／ｒ）2｝1/2]
＋A4×Ｙ4＋A6×Ｙ6＋A8×Ｙ8＋A10×Ｙ10
ただし、光軸方向の座標をＺ、光軸と垂直な方向の座標をＹとする。
【０２０３】
数値実施例１
単位     ｍｍ
面データ
面番号               ｒ         ｄ        ｎｄ      νｄ
1（非球面）    -11.981      0.70     1.58313    59.38
2（非球面）     37.532      0.70     1.63494    23.22
3（非球面）   -210.729      可変
4（絞り）         ∞        0.00
5（非球面）      4.871      1.50     1.83481    42.71
6（非球面）    -86.685      0.15
7               13.016      1.08     1.88300    40.76
8              457.725      0.51     1.80518    25.42
9                3.309      可変
10               50.796      0.80     1.52542    55.78
11（非球面）     23.127      可変
12               30.869      2.60     1.58313    59.38
13（非球面）     -9.130      可変
14                 ∞        0.50     1.54771    62.84
15                 ∞        0.50
16                 ∞        0.50     1.51633    64.14
17                 ∞        0.50
像面                ∞
非球面データ
第１面
K=0.696,A4=8.15954E-04,A6=-9.02964E-06,A8=7.06618E-08,A10=1.64985E-10
第２面
K=-7.816,A4=5.93790E-04,A6=-1.17684E-05
第３面
K=-418.955,A4=5.24806E-04,A6=-3.91612E-06,A8=-1.24273E-07,A10=2.82606E-09
第５面
K=0.139,A4=-6.03643E-04,A6=-5.31230E-05,A8=2.70195E-06
第６面
K=0.000,A4=6.99714E-04,A6=-7.25503E-05,A8=8.68547E-06,A10=-1.54245E-07
第１１面
K=0.000,A4=-1.32093E-05,A6=-4.00985E-06,A8=1.56930E-07,A10=-5.79143E-09
第１３面
K=-0.432,A4=3.83764E-04,A6=-7.83432E-06,A8=1.38963E-07,A10=-4.62646E-10
各種データ
ズーム比         2.87
広角  広角側変化点  中間  望遠側変化点  望遠
焦点距離         7.71     10.35     13.4      18.19     22.1
Ｆナンバー        2.88      3.4       3.98      4.79      5.49
画角          63.51     47.92     37.44     28.04     23.39
像高           4.55      4.55      4.55      4.55      4.55
レンズ全長       32.46     30.10     29.46     29.49     30.79
ＢＦ           5.41      4.78      4.31      4.14      3.92
d3           15.26     10.54      7.33      3.74      2.18
d9            1         5.1       7.34     10.76     12.11
d11           2.76      1.65      2.46      2.82      4.55
d13           3.76      3.13      2.66      2.49      2.27
ズームレンズ群データ
群    始面    焦点距離
1       1      -22.66
2       5       12.16
3      10      -81.62
4      12       12.38
【０２０４】
数値実施例２
単位     ｍｍ
面データ
面番号               ｒ         ｄ        ｎｄ      νｄ
1（非球面）    -14.217      0.70     1.58313    59.38
2（非球面）     24.136      0.65     1.63494    23.22
3（非球面）     72.792      可変
4（絞り）         ∞        0.00
5（非球面）      4.961      1.54     1.82080    42.71
6（非球面）    -89.208      0.15
7               11.451      1.00     1.88300    40.76
8              142.631      0.51     1.80518    25.42
9                3.372      可変
10               29.312      0.80     1.52542    55.78
11（非球面）     21.393      可変
12               49.315      2.47     1.52542    55.78
13（非球面）     -8.540      可変
14                 ∞        0.50     1.54771    62.84
15                 ∞        0.50
16                 ∞        0.50     1.51633    64.14
17                 ∞        0.50
像面                ∞
非球面データ
第１面
K=2.777,A4=4.38487E-04,A6=1.16381E-05,A8=-3.29372E-07,A10=4.18427E-09
第２面
K=-3.418,A4=5.12543E-04,A6=-3.82583E-06
第３面
K=26.883,A4=1.65598E-04,A6=1.41400E-05,A8=-3.80117E-07,A10=3.81175E-09
第５面
K=0.348,A4=-8.05884E-04,A6=-5.80311E-05,A8=2.18950E-06
第６面
K=0.000,A4=6.47271E-04,A6=-5.81071E-05,A8=7.29418E-06,A10=-3.29262E-08
第１１面
K=0.000,A4=1.33935E-04,A6=-1.96248E-05,A8=4.60497E-07,A10=-6.31473E-09
第１３面
K=-0.391,A4=2.59050E-04,A6=2.68519E-06,A8=6.96644E-08,A10=-4.04915E-10
各種データ
ズーム比         2.88
広角  広角側変化点  中間  望遠側変化点  望遠
焦点距離         7.78     10.35     13.4      18        22.42
Ｆナンバー        2.88      3.44      4         4.84      5.51
画角          63.34     48.08     37.52     28.21     22.88
像高           4.55      4.55      4.55      4.55      4.55
レンズ全長       31.66     30.64     29.80     30.32     31.57
ＢＦ           5.48      4.65      4.20      3.74      4.04
d3           14.57     10.9       7.6       4.66      2.38
d9            1.58      4.35      7.94     10.8      14.07
d11           2.21      2.93      2.24      3.3       3.27
d13           3.83      3         2.55      2.09      2.39
ズームレンズ群データ
群    始面    焦点距離
1       1      -20.90
2       5       11.88
3      10     -156.15
4      12       14.06
【０２０５】
数値実施例３
単位     ｍｍ
面データ
面番号               ｒ         ｄ        ｎｄ      νｄ
1（非球面）    -14.249      0.70     1.58313    59.38
2（非球面）     23.234      0.57     1.63494    23.22
3（非球面）     86.974      可変
4（絞り）         ∞        0.00
5（非球面）      5.042      1.49     1.83481    42.71
6（非球面）    -86.330      0.15
7               12.427      1.02     1.88300    40.76
8              509.464      0.55     1.80518    25.42
9                3. 426      可変
10               25.791      0.80     1.52542    55.78
11（非球面）     20.006      可変
12               35.484      2.60     1.52542    55.78
13（非球面）     -9.171      可変
14                 ∞        0.50     1.54771    62.84
15                 ∞        0.50
16                 ∞        0.50     1.51633    64.14
17                 ∞        0.50
像面                ∞
非球面データ
第１面
K=2.687,A4=5.38597E-04,A6=4.61021E-06,A8=-1.84142E-07,A10=2.94944E-09
第２面
K=-2.810,A4=3.98204E-04,A6=-4.78082E-06
第３面
K=19.023,A4=2.58400E-04,A6=6.91398E-06,A8=-2.61693E-07,A10=3.30720E-09
第５面
K=-0.334,A4=-8.96571E-05,A6=-3.54061E-05,A8=2.97005E-06
第６面
K=0.000,A4=6.29371E-04,A6=-6.76395E-05,A8=7.12232E-06,A10=-1.56331E-07
第１１面
K=0.000,A4=2.01335E-05,A6=-1.19486E-05,A8=2.65168E-07,A10=-3.91123E-09
第１３面
K=-1.321,A4=2.34507E-04,A6=-5.97599E-06,A8=2.24954E-07,A10=-1.97170E-09
各種データ
ズーム比         2.82
広角  広角側変化点  中間  望遠側変化点  望遠
焦点距離         8.02     10.35     13.4      18.2      22.64
Ｆナンバー        2.88      3.36      3.92      4.76      5.45
画角          61.72     48.07     37.54     27.93     22.67
像高           4.55      4.55      4.55      4.55      4.55
レンズ全長       31.67     30.58     29.80     30.29     31.62
ＢＦ           5.44      4.79      4.30      3.89      4.01
d3           14.45     10.94      7.63      4.43      2.29
d9            1.49      3.95      7.76     10.93     13.79
d11           2.41      3.02      2.23      3.17      3.66
d13           3.79      3.14      2.65      2.24      2.36
ズームレンズ群データ
群    始面    焦点距離
1       1      -21.65
2       5       12.13
3      10     -178.21
4      12       14.15
【０２０６】
数値実施例４
単位     ｍｍ
面データ
面番号               ｒ         ｄ        ｎｄ      νｄ
1（非球面）    -18.911      0.80     1.58313    59.38
2               12.725      0.80     1.63494    23.22
3（非球面）     30.290      可変
4（絞り）         ∞        0.00
5（非球面）      6.081      1.60     1.74320    49.34
6（非球面）    -22.773      0.15
7               10.604      1.69     1.83481    42.71
8              134.114      0.52     1.80518    25.42
9                3.704      可変
10               56.233      0.80     1.52542    55.78
11（非球面）     17.069      可変
12              134.146      2.18     1.80610    40.92
13（非球面）    -10.349      可変
14                 ∞        0.50     1.54771    62.84
15                 ∞        0.50
16                 ∞        0.50     1.51633    64.14
17                 ∞        0.50
像面                ∞
非球面データ
第１面
K=1.051,A4=5.07602E-06,A6=1.30112E-05,A8=-2.87458E-07,A10=2.32505E-09
第３面
K=26.006,A4=-2.35130E-04,A6=1.12544E-05,A8=-1.09983E-07,A10=-4.61435E-09
第５面
K=-1.634,A4=-9.16990E-05,A6=-1.18179E-04,A8=1.12848E-05,A10=-2.01021E-06
第６面
K=-37.172,A4=-7.71139E-04,A6=-1.00279E-04,A8=5.88476E-06,A10=-1.42926E-06
第１１面
K=0.000,A4=2.19655E-04,A6=2.87695E-06,A8=-1.81203E-06,A10=4.76216E-08
第１３面
K=-2.283,A4=-1.17618E-04,A6=-2.42901E-08,A8=6.63928E-08,A10=1.33000E-09
各種データ
ズーム比         2.88
広角  広角側変化点  中間  望遠側変化点  望遠
焦点距離         8.16     10.44     13.55     18.12     23.5
Ｆナンバー        2.88      3.36      3.91      4.77      5.67
画角          60.96     47.28     36.44     27.49     21.38
像高           4.55      4.55      4.55      4.55      4.55
レンズ全長       31.65     30.66     29.65     30.22     31.53
ＢＦ           5.67      4.94      4.51      3.90      3.71
d3           13.45     10.38      7.12      4.57     2.4
d9            1.51      4.03      6.73      9.17    11.92
d11           2.5       2.78      2.76      4.05     4.98
d13           4.02      3.28      2.85      2.25     2.06
ズームレンズ群データ
群    始面    焦点距離
1       1      -20.72
2       5       11.30
3      10      -46.98
4      12       12.00
【０２０７】
数値実施例５
単位     ｍｍ
面データ
面番号               ｒ         ｄ        ｎｄ      νｄ
1（非球面）    -22.653      0.70     1.58313    59.38
2               16.559      0.53     1.63494    23.22
3（非球面）     25.127      可変
4（絞り）         ∞        0.00
5（非球面）      4.860      1.49     1.83481    42.71
6（非球面）   -106.734      0.15
7               10.872      1.03     1.83481    42.71
8               48.837      0.54     1.80518    25.42
9                3.226      可変
10               35.000      0.80     1.52542    55.78
11（非球面）     21.080      可変
12               31.125      2.43     1.52542    55.78
13（非球面）     -9.817      可変
14                 ∞        0.50     1.54771    62.84
15                 ∞        0.50
16                 ∞        0.50     1.51633    64.14
17                 ∞        0.50
像面                ∞
非球面データ
第１面
K=4.541,A4=-2.29064E-04,A6=2.09731E-05,A8=-3.82878E-07,A10=2.81320E-09
第３面
K=15.256,A4=-4.82788E-04,A6=1.65349E-05,A8=-1.40821E-07,A10=-3.15256E-09
第５面
K=-0.919,A4=3.68452E-04,A6=4.06370E-06,A8=7.47374E-07
第６面
K=0.000,A4=4.16616E-04,A6=-9.39191E-06,A8=8.31094E-07
第１１面
K=0.000,A4=-1.88499E-05,A6=-1.78170E-05,A8=2.94314E-07,A10=-5.69112E-09
第１３面
K=-1.098,A4=8.78574E-05,A6=8.97907E-06,A8=-2.39271E-07,A10=6.89604E-09
各種データ
ズーム比         2.88
広角  広角側変化点  中間  望遠側変化点  望遠
焦点距離         8.15     10.43     13.53     18.1      23.48
Ｆナンバー        2.86      3.35      3.88      4.65      5.45
画角          61.03     47.85     37.35     28.09     21.8
像高           4.55      4.55      4.55      4.55      4.55
レンズ全長       31.65     30.93     29.71     30.02     31.65
ＢＦ           5.44      4.56      4.15      3.86      4.17
d3           14.57     11.58      8.06      5.01      2.5
d9            1.5       3.93      7.57     10.38     13.57
d11           2.48      3.2       2.27      3.11      3.75
d13           3.79      2.91      2.5       2.21      2.51
ズームレンズ群データ
群    始面    焦点距離
1       1      -20.70
2       5       11.64
3      10     -102.92
4      12       14.50
【０２０８】
数値実施例６
単位     ｍｍ
面データ
面番号               ｒ         ｄ        ｎｄ      νｄ
1（非球面）    -33.739      0.80     1.58313    59.38
2               13.645      0.67     1.63494    23.22
3（非球面）     19.343      可変
4（絞り）         ∞        0.00
5（非球面）      5.010      1.44     1.83481    42.71
6（非球面）    -69.498      0.15
7               11.772      1.10     1.83481    42.71
8             -614.613      0.50     1.80518    25.42
9                3.408      可変
10              212.094      0.80     1.52542    55.78
11（非球面）     24.454      可変
12              103.939      2.11     1.74320    49.34
13（非球面）    -10.380      可変
14                 ∞        0.50     1.54771    62.84
15                 ∞        0.50
16                 ∞        0.50     1.51633    64.14
17                 ∞        0.50
像面                ∞
非球面データ
第１面
K=8.816,A4=-4.13122E-04,A6=2.62067E-05,A8=-5.70488E-07,A10=4.91698E-09
第３面
K=9.676,A4=-7.27584E-04,A6=2.58033E-05,A8=-5.21907E-07,A10=-1.06649E-09
第５面
K=-1.245,A4=7.19784E-04,A6=-1.53107E-05,A8=3.19896E-06
第６面
K=0.000,A4=5.31100E-04,A6=-2.86233E-05,A8=3.81056E-06
第１１面
K=0.000,A4=1.07531E-04,A6=-9.60733E-07,A8=-7.21707E-07,A10=1.57456E-08
第１３面
K=-0.560,A4=2.26496E-04,A6=-1.07789E-05,A8=4.12967E-07,A10=-3.58833E-09
各種データ
ズーム比         2.88
広角  広角側変化点  中間  望遠側変化点  望遠
焦点距離         8.08     10.34     13.41     17.93     23.26
Ｆナンバー        2.87      3.32      3.9       4.7       5.61
画角          61.37     47.82     36.98     27.94     21.79
像高           4.55      4.55      4.55      4.55      4.55
レンズ全長       31.35     29.99     29.27     29.46     30.75
ＢＦ           6.13      5.39      4.77      4.22      3.85
d3           14        10.62      7.52      4.61      2.5
d9            1.15      4.22      6.96     10.08     12.89
d11           2.51      2.2       2.46      2.98      3.95
d13           4.48      3.74      3.12      2.57      2.2
ズームレンズ群データ
群    始面    焦点距離
1       1      -21.39
2       5       11.52
3      10      -52.69
4      12       12.80
【０２０９】
数値実施例７
単位     ｍｍ
面データ
面番号               ｒ         ｄ        ｎｄ      νｄ
1（非球面）    -44.139      0.70     1.58313    59.38
2               12.363      0.67     1.63494    23.22
3（非球面）     16.544      可変
4（絞り）         ∞        0.00
5（非球面）      4.836      1.66     1.80139    45.46
6（非球面）    -49.496      0.15
7               11.072      1.40     1.80810    22.76
8                3.337      可変
9              100.000      0.80     1.52542    55.78
10（非球面）     25.815      可変
11               25.727      2.46     1.52542    55.78
12（非球面）    -10.468      可変
13                 ∞        0.50     1.54771    62.84
14                 ∞        0.50
15                 ∞        0.50     1.51633    64.14
16                 ∞        0.50
像面                ∞
非球面データ
第１面
K=-38.771,A4=-6.70403E-04,A6=3.53973E-05,A8=-7.64753E-07,A10=6.56335E-09
第３面
K=6.806,A4=-8.94941E-04,A6=3.38549E-05,A8=-6.96377E-07,A10=-1.43567E-10
第５面
K=-1.226,A4=7.06424E-04,A6=1.12713E-06,A8=6.74850E-07
第６面
K=-259.534,A4=2.66611E-04
第１０面
K=0.000,A4=-1.42025E-04,A6=-1.27034E-06,A8=-6.79574E-07,A10=1.28770E-08
第１２面
K=-9.186,A4=-5.90762E-04,A6=1.89978E-05,A8=-3.29764E-07,A10=6.07274E-09
各種データ
ズーム比         2.88
広角  広角側変化点  中間  望遠側変化点  望遠
焦点距離         8.16     10.44     13.55     18.11     23.5
Ｆナンバー        2.89      3.36      3.91      4.71      5.5
画角          60.93     47.88     37.16     27.94     21.53
像高           4.55      4.55      4.55      4.55      4.55
レンズ全長       32.15     31.17     30.18     30.58     32.10
ＢＦ           6.07      5.26      4.71      4.22      4.69
d3           14.8      11.55      8.19       5.25     2.6
d8            1         3.68      6.75       9.58    12.29
d10           2.46      2.86      2.71       3.7      4.7
d12           4.42      3.6       3.06       2.57     3.04
ズームレンズ群データ
群    始面    焦点距離
1       1      -20.95
2       5       11.71
3       9      -66.47
4      11       14.50
【０２１０】
数値実施例８
単位     ｍｍ
面データ
面番号               ｒ         ｄ        ｎｄ      νｄ
1（非球面）    -14.890      0.70     1.58313    59.38
2               15.930      0.68     1.63494    23.22
3（非球面）     49.617      可変
4（絞り）         ∞        0.00
5（非球面）      4.953      1.68     1.69350    53.21
6（非球面）    -30.326      0.20
7                9.435      1.52     1.80810    22.76
8                3.555      可変
9               80.000      0.80     1.52542    55.78
10（非球面）     26.236      可変
11              -82.545      1.90     1.74320    49.34
12（非球面）    -10.496      可変
13                 ∞        0.50     1.54771    62.84
14                 ∞        0.50
15                 ∞        0.50     1.51633    64.14
16                 ∞        0.50
像面                ∞
非球面データ
第１面
K=-16.025,A4=-3.11310E-04,A6=1.28912E-05,A8=-2.32621E-07,A10=1.94746E-09
第３面
K=70.098,A4=2.81845E-05,A6=1.91821E-07,A8=5.60745E-08,A10=-2.48830E-09
第５面
K=-1.211,A4=4.77122E-04,A6=2.36137E-06,A8=3.39207E-07,A10=2.60202E-09
第６面
K=0.000,A4=4.20224E-04,A6=-3.82318E-06
第１０面
K=0.000,A4=3.32937E-05,A6=4.46490E-06,A8=-2.08795E-06,A10=7.95117E-08
第１２面
K=-9.714,A4=-7.62805E-04,A6=1.43896E-05,A8=-6.63909E-08,A10=-7.05542E-10
各種データ
ズーム比         2.88
広角  広角側変化点  中間  望遠側変化点  望遠
焦点距離         8.16     10.44     13.55     18.12     23.5
Ｆナンバー        2.89      3.3       3.84      4.63      5.49
画角          62.74     48.44     37.19     27.94     21.69
像高           4.55      4.55      4.55      4.55      4.55
レンズ全長       32.45     30.57     29.80     30.53     32.38
ＢＦ           6.62      6.05      5.65      5.22      5.23
d3           14.75     10.89      7.57      4.75      2.53
d8            1.1       3.82      5.84      7.63      9.42
d10           2.5       2.33      3.25      5.45      7.72
d12           4.97      4.4       4         3.57      3.58
ズームレンズ群データ
群    始面    焦点距離
1       1      -20.38
2       5       11.59
3       9      -74.68
4      11       16.00
【０２１１】
数値実施例９
単位     ｍｍ
面データ
面番号               ｒ         ｄ        ｎｄ      νｄ
1（非球面）    -14.706      0.70     1.58313    59.38
2               18.885      0.78     1.63494    23.22
3（非球面）     49.972      可変
4（絞り）         ∞        0.00
5（非球面）      5.032      1.71     1.74320    49.34
6（非球面）    -30.235      0.30
7               10.531      1.49     1.80810    22.76
8                3.487      可変
9               80.000      0.80     1.52542    55.78
10（非球面）     26.257      可変
11（非球面）     61.805      2.40     1.52542    55.78
12（非球面）     -9.600      可変
13                 ∞        0.50     1.54771    62.84
14                 ∞        0.50
15                 ∞        0.50     1.51633    64.14
16                 ∞        0.50
像面                ∞
非球面データ
第１面
K=-15.776,A4=-4.22513E-04,A6=1.52534E-05,A8=-2.58294E-07,A10=2.15094E-09
第３面
K=62.986,A4=-5.46325E-05,A6=5.22355E-07,A8=7.47251E-08,A10=-2.59679E-09
第５面
K=-1. 375,A4=5.92760E-04,A6=3.29704E-06,A8=-2.37832E-07
第６面
K=58.183,A4=6.74242E-04,A6=6.09294E-06
第１０面
K=0.000,A4=-2.61727E-05,A6=5.69324E-06,A8=-1.96963E-06,A10=6.99317E-08
第１１面
K=70.208
第１２面
K=-8.029,A4=-7.13654E-04,A6=1.19084E-05,A8=1.96023E-08,A10=-1.05869E-09
各種データ
ズーム比         2.88
広角  広角側変化点  中間  望遠側変化点  望遠
焦点距離         8.12     10.4      13.48     18.03     23.39
Ｆナンバー        2.89      3.3       3.84      4.6       5.45
画角          63.95     49.24     37.8      28.36     22.02
像高           4.55      4.55      4.55      4.55      4.55
レンズ全長       32.45     30.57     29.80     30.43     32.40
ＢＦ           5.93      5.35      4.97      4.80      5.05
d3           14.93     11.15      7.91      4.98      2.73
d8            1.1       3.88      5.84      7.43      9.23
d10           2.5       2.2       3.1       5.23      7.41
d12           4.28      3.7       3.31      3.14      3.4
ズームレンズ群データ
群    始面    焦点距離
1       1      -19.69
2       5       11.34
3       9      -74.77
4      11       16.00
【０２１２】
数値実施例１０
単位     ｍｍ
面データ
面番号               ｒ         ｄ        ｎｄ      νｄ
1（非球面）    -14.992      0.70     1.58313    59.38
2（非球面）     13.949      0.70     1.63387    23.38
3（非球面）     37.831      可変
4（絞り）         ∞        0.00
5（非球面）      5.607      1.58     1.74320    49.34
6（非球面）    -32.147      0.15
7                8.542      1.77     1.92286    18.90
8                3.770      可変
9               80.000      0.80     1.52542    55.78
10（非球面）     22.579      可変
11              195.714      2.22     1.74320    49.34
12（非球面）    -11.538      可変
13                 ∞        0.50     1.54771    62.84
14                 ∞        0.50
15                 ∞        0.50     1.51633    64.14
16                 ∞        0.50
像面                ∞
非球面データ
第１面
K=-3.208,A4=1.45834E-05,A6=9.31907E-06,A8=-2.35085E-07,A10=2.17381E-09
第２面
K=-3.058,A4=-9.88721E-05,A6=2.22517E-05,A8=-4.94745E-07
第３面
K=0.000,A4=-2.95854E-05,A6=1.64938E-05,A8=-4.19469E-07,A10=4.62753E-09
第５面
K=-1.749,A4=6.63921E-04,A6=-1.17196E-05,A8=-1.16625E-06,A10=3.08705E-08
第６面
K=0.000,A4=3.37846E-04,A6=-2.69871E-05
第１０面
K=0.000,A4=6.52998E-05,A6=3.66885E-07,A8=-4.92201E-07,A10=1.40308E-08
第１２面
K=-5.146,A4=-2.75156E-04,A6=1.08356E-06,A8=4.53615E-08,A10=-5.01467E-10
各種データ
ズーム比         2.89
広角  広角側変化点  中間  望遠側変化点  望遠
焦点距離         8.14     10.42     13.37     18.09     23.52
Ｆナンバー        2.88      3.3       3.83      4.63      5.53
画角          64.45     49.15     37.97     28.18     21.93
像高           4.55      4.55      4.55      4.55      4.55
レンズ全長       31.19     29.71     29.25     30.07     32.09
ＢＦ           6.01      5.44      5.03      4.82      4.76
d3           13.36      9.92      7.08      4.25      2.28
d8            1.58      4.13      6.12      8.16     10.54
d10           2.33      2.29      3.1       4.91      6.6
d12           4.38      3.81      3.41      3.21      3.15
ズームレンズ群データ
群    始面    焦点距離
1       1      -19.05
2       5       10.99
3       9      -60.16
4      11       14.73
【０２１３】
数値実施例１１
単位     ｍｍ
面データ
面番号               ｒ         ｄ        ｎｄ      νｄ
1（非球面）    -15.671      0.70     1.58313    59.38
2（非球面）     14.047      0.70     1.63387    23.38
3（非球面）     35.585      可変
4（絞り）         ∞        0.00
5（非球面）      5.496      1.57     1.74320    49.34
6（非球面）    -35.657      0.15
7                8.705      1.82     1.92286    18.90
8                3.746      可変
9               80.000      0.80     1.52542    55.78
10（非球面）     29.136      可変
11             -419.759      2.20     1.74320    49.34
12（非球面）    -10.902      可変
13                 ∞        0.50     1.54771    62.84
14                 ∞        0.50
15                 ∞        0.50     1.51633    64.14
16                 ∞        0.50
像面                ∞
非球面データ
第１面
K=-3.122,A4=-3.61952E-05,A6=1.00973E-05,A8=-2.32003E-07,A10=2.09996E-09
第２面
K=0.970,A4=-2.46910E-04,A6=1.48213E-05,A8=-2.65313E-07
第３面
K=0.000,A4=-8.54922E-05,A6=1.65424E-05,A8=-3.97467E-07,A10=4.80196E-09
第５面
K=-1.838,A4=8.72041E-04,A6=1.55077E-05,A8=-5.16964E-06,A10=5.97515E-07
第６面
K=0.000,A4=4.66902E-04,A6=5.33655E-06,A8=-4.29970E-06,A10=6.58448E-07
第１０面
K=0.000,A4=1.83567E-04,A6=-1.58925E-05,A8=5.62901E-07,A10=-1.12511E-08
第１２面
K=-6.584,A4=-5.37999E-04,A6=1.01657E-05,A8=-1.17559E-07,A10=5.95227E-10
各種データ
ズーム比         2.88
広角  広角側変化点  中間  望遠側変化点  望遠
焦点距離         8.16     10.5      13.39     18.08     23.51
Ｆナンバー        2.88      3.31      3.78      4.63      5.56
画角          64.38     48.82     37.99     28.28     22.06
像高           4.55      4.55      4.55      4.55      4.55
レンズ全長       30.97     29.43     28.51     29.82     31.98
ＢＦ           5.81      5.26      5.02      4.67      4.51
d3           13.27      9.74      6.63      4.15      2.27
d8            1.59      4.53      7.88      8.34     10.06
d10           2.36      1.96      1.04      4.72      7.2
d12           4.15      3.61      3.37      3.01      2.85
ズームレンズ群データ
群    始面    焦点距離
1       1      -19.27
2       5       11.06
3       9      -87.69
4      11       15.03
【０２１４】
以上の実施例１〜５の無限遠物点合焦時の収差図をそれぞれ図１２〜図３３に示す。これらの収差図において、（ａ）は広角端、（ｂ）は広角側変化点、（ｃ）は中間状態、（ｄ）は望遠側変化点、（ｅ）は望遠端における球面収差、非点収差、歪曲収差、倍率色収差を示す。各図中、“ＦＩＹ”は半画角を示す。
【０２１５】
次に、上記各実施例における条件式（１）〜（１２）の値を示す。なお、条件式（１）及び（２）は、第１レンズ群が最も像側に位置する中間状態での値を示す。
【０２１６】
条件式     実施例１    実施例２    実施例３    実施例４    実施例５    実施例６
（１）   -0.182      -0.160      -0.165      -0.111      -0.184      -0.175
（２）    0.039      -0.004       0.022      -0.032       0.026       0.007 
（３）   -0.182      -0.160      -0.165      -0.111      -0.184      -0.175
（３Ａ）  1.026       1.015       0.994       0.978       0.978       0.978
（４）    0.039      -0.004       0.022      -0.032       0.026       0.007 
（５）   -0.389      -0.239      -0.233      -0.246      -0.238      -0.257 
（６）    0.144      -0.004       0.022      -0.032       0.026      -0.058 
（７）    0.182       0.173       0.158       0.196       0.151       0.181 
（８）   36.165      36.165      36.165      36.165      36.165      36.165 
（９）   -0.946      -0.865      -0.888      -0.869      -0.915      -0.851
（１１）    2.467       2.529       2.469       2.426       2.593       2.488 
【０２１７】
条件式     実施例７    実施例８    実施例９   実施例１０  実施例１１
（１）   -0.135      -0.026      -0.045      -0.025      -0.259 
（２）   -0.031      -0.092      -0.074      -0.095       0.163 
（３）   -0.135      -0.026      -0.045      -0.025      -0.259 
（３Ａ）  0.978       0.978       0.978       0.966       0.967 
（４）   -0.031      -0.092      -0.074      -0.095       0.163 
（５）   -0.241      -0.325      -0.327      -0.238      -0.302 
（６）   -0.031       0.021       0.037       0.004       0.163 
（７）    0.167       0.169       0.158       0.172       0.172 
（８）   36.165      36.165      36.165      35.998      35.998 
（９）   -0.864      -0.797      -0.852      -0.768      -0.805 
（１０Ａ）  1.801       1.694       1.743       1.743       1.743
（１０Ｂ） 45.456      53.210      49.340      49.340      49.340
（１０Ｃ） 22.760      22.760      22.760      18.900      18.900
（１１）    2.557       2.415       2.485       2.449       2.438 
【０２１８】
各実施例にて、以下の構成としてもよい。
【０２１９】
ゴースト、フレア等の不要光をカットするために、明るさ絞りＳ以外にフレア絞りを配置してもかまわない。第１レンズ群Ｇ１の物体側、第１レンズ群Ｇ１と第２レンズ群Ｇ２間、第２レンズ群Ｇ２と第３レンズ群Ｇ３間、第３レンズ群Ｇ３と第４レンズ群Ｇ４間、第４レンズ群Ｇ４から像面Ｉの間の何れの場所に配置してもよい。また、枠部材によりフレア光線をカットするように構成してもよいし、別の部材を構成してもよい。また、レンズの表面に直接印刷しても、塗装しても、シール等を接着してもかまわない。また、その形状は円形、楕円形、矩形、多角形、関数曲線で囲まれる範囲等、如何なる形状でもかまわない。また、有害光束をカットするだけでなく、画面周辺のコマフレア等の光束をカットするようにしてもよい。
【０２２０】
また、各レンズには反射防止コートを行い、ゴースト、フレアを軽減してもかまわない。マルチコートであれば効果的にゴースト、フレアを軽減できるので望ましい。また、赤外カットコートをレンズ面、カバーガラス等に施してもよい。
【０２２１】
また、ピント調節を行うためのフォーカシングは、第４レンズ群Ｇ４で行うことが望ましい。第４レンズ群Ｇ４でフォーカシングを行うと、レンズ重量が軽量なためモーター等の駆動系にかかる負荷が少ない。さらに、フォーカシング時に全長が変化しないし、鏡枠内部に駆動モーターを配置できるため、鏡枠のコンパクト化に有利である。上述のように、第４レンズ群Ｇ４フォーカシングが望ましいが、第１レンズ群Ｇ１、第２レンズ群Ｇ２、第３レンズ群Ｇ３でフォーカシングを行ってもよい。また、複数のレンズ群を移動してフォーカシングを行ってもよい。また、レンズ系全体を繰り出してフォーカシングを行ってもよいし、群内の一部のレンズを繰り出すか、若しくは、繰り込みしてフォーカスしてもよい。
【０２２２】
また、画像周辺部の明るさの陰り（シェーディング）をＣＣＤのマイクロレンズをシフトすることにより軽減してもよい。例えば、各像高における光線の入射角に合わせてＣＣＤのマイクロレンズの設計を変えてもよい。また画像処理により画像周辺部の低下量を補正してもよい。
【０２２３】
また、意図的に光学系で歪曲収差を出しておき、撮影後に電気的に画像処理を行って歪みを補正してもかまわない。それぞれ実施の形態のズームレンズを用い、電気的に歪曲収差を補正するようにしてもよい。
【０２２４】
本実施例のズームレンズは矩形の光電変換面上に広角端付近ではやや樽型の歪曲収差を残している。一方中間焦点距離状態付近や望遠端では歪曲収差の発生が変化する。歪曲収差を電気的に補正する場合は、有効撮像領域は、広角端では樽型形状とし、中間焦点距離状態や望遠端では矩形の形状となるようにする等、有効撮像領域を変化させる。そして、あらかじめ設定した有効撮像領域を画像処理により画像変換し、歪みを低減させた矩形の画像情報に変換する。広角端での最大像高ＩＨｗは、中間焦点距離状態の最大像高ＩＨｓや望遠端での最大像高ＩＨｔよりも小さくなるように変換する。
【０２２５】
例えば、広角端にて光電変換面の短辺方向の長さが有効撮像領域の短辺方向の長さと同じになるようにし、画像処理後の歪曲収差が−３％程残るように有効撮像領域を定めるようにしてもよい。もちろん、それよりも小さい樽型の領域を有効撮像領域として矩形に変換した画像を記録・再生するようにしてもよい。
【０２２６】
例えば、図３４に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ'（ω）となるように同心円状に移動させることで補正する。例えば、図３４において、半径Ｒの円の内側に位置する任意の半径ｒ1（ω）の円周上の点Ｐ1は、円の中心に向けて補正すべき半径ｒ1'（ω）円周上の点Ｐ2に移動させる。また、半径Ｒの円の外側に位置する任意の半径ｒ2（ω）円周上の点Ｑ1は、円の中心から離れる方向に向けて補正すべき半径ｒ2'（ω）円周上の点Ｑ2に移動させる。ここで、ｒ'（ω）は次のように表わすことができる。
【０２２７】
ｒ'（ω）＝αｆｔａｎω          （０≦α≦１）
ただし、ωは被写体半画角、ｆは結像光学系（本発明では、ズームレンズ）の焦点距離である。
【０２２８】
ここで、前記半径ｒの円上（像高）に対応する理想像高をＹとすると、
α＝Ｒ／Ｙ＝Ｒ／ｆｔａｎω
となる。
【０２２９】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ'（ω）となるように同心円状に移動させることで補正することができれば、データ量や演算量の点で有利と考えられる。
【０２３０】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。つまり、離散的座標点毎に表わされる画像データの形状補正においては、上記倍率を固定できる円は存在しない。そこで、各画素（Ｘi，Ｙj）毎に、移動先の座標（Ｘ'i，Ｙ'j）を決める方法を用いるのがよい。なお、座標（Ｘ'i，Ｙ'j）に（Ｘi，Ｙj）の２点以上が移動してきた場合には、各画素が有する値の平均値をとる。また、移動してくる点がない場合には、周囲のいくつかの画素の座標（Ｘ'i，Ｙ'j）の値を用いて補間すればよい。
【０２３１】
このような方法は、特にズームレンズが有する電子撮像装置において光学系や電子撮像素子の製造誤差等のために光軸に対して歪みが著しく、前記光学像上に描かれる上記半径Ｒの円が非対称になった場合の補正に有効である。また、撮像素子あるいは各種出力装置において信号を画像に再現する際に幾何学的歪み等が発生する場合等の補正に有効である。
【０２３２】
本発明の電子撮像装置では、補正量ｒ'（ω）−ｒ（ω）を計算するために、ｒ（ω）すなわち半画角と像高との関係、あるいは、実像高ｒと理想像高ｒ'／αとの関係が、電子撮像装置に内蔵された記録媒体に記録されている構成としてもよい。
【０２３３】
なお、歪曲補正後の画像が短辺方向の両端において光量が極端に不足することのないようにするには、前記半径Ｒが、次の条件式を満足するのがよい。
【０２３４】
０≦Ｒ≦０．６Ｌs
ただし、Ｌsは有効撮像面の短辺の長さである。
【０２３５】
好ましくは、前記半径Ｒは、次の条件式を満足するのがよい。
【０２３６】
０．３Ｌs≦Ｒ≦０．６Ｌs
さらには、前記半径Ｒは、略有効撮像面の短辺方向の内接円の半径に一致させるのが最も有利である。なお、半径Ｒ＝０の近傍、すなわち、軸上近傍において倍率を固定した補正の場合は、実質画素数の面で若干の不利があるが、広角化しても小型化にするための効果は確保できる。
【０２３７】
なお、補正が必要な焦点距離区間については、いくつかの焦点ゾーンに分割する。そして、該分割された焦点ゾーン内の望遠端近傍で略
ｒ'（ω）＝αｆｔａｎω
を満足する補正結果が得られる場合と同じ補正量で補正してもよい。ただし、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。そして、前記分割されたゾーン内の望遠鏡近傍で略
ｒ'（ω）＝αｆｔａｎω
を満足する補正結果が得られる場合の補正量を算出し、この補正量に対して焦点距離毎に前記係数を一律に掛けて最終的な補正量にしてもよい。
【０２３８】
ところで、無限遠物体を結像させて得られた像に歪曲がない場合は、
ｆ＝ｙ／ｔａｎω
が成立する。ただし、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０２３９】
結像系に樽型の歪曲収差がある場合は、
ｆ＞ｙ／ｔａｎω
となる。つまり、結像系の焦点距離ｆと、像高ｙとを一定とすると、ωの値は大きくなる。
【０２４０】
図３５〜図３７は、以上のようなズームレンズを撮影光学系４１に組み込んだ本発明によるデジタルカメラの構成の概念図を示す。図３５はデジタルカメラ４０の外観を示す前方斜視図、図３６は同後方正面図、図３７はデジタルカメラ４０の構成を示す模式的な断面図である。ただし、図３５と図３７においては、撮影光学系４１の非沈胴時を示している。デジタルカメラ４０は、この例の場合、撮影用光路４２上に位置する撮影光学系４１、ファインダー用光路４４上に位置するファインダー光学系４３、シャッターボタン４５、フラッシュ４６、液晶表示モニター４７、焦点距離変更ボタン６１、設定変更スイッチ６２等を含み、撮影光学系４１の沈胴時には、カバー６０をスライドすることにより、撮影光学系４１とファインダー光学系４３とフラッシュ４６はそのカバー６０で覆われる。そして、カバー６０を開いてカメラ４０を撮影状態に設定すると、撮影光学系４１は図１８の非沈胴状態になり、カメラ４０の上部に配置されたシャッターボタン４５を押圧すると、それに連動して撮影光学系４１、例えば実施例１のズームレンズを通して撮影が行われる。撮影光学系４１によって形成された物体像が、波長域制限コートを施したローパスフィルターＦとカバーガラスＣを介してＣＣＤ４９の撮像面（光電変換面）上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる、なお、この記録手段５２は処理手段５１と別体に設けてもよいし、フロッピー(登録商標)ディスクやメモリーカード、ＭＯ等により電子的に記録書込を行うように構成してもよい。また、ＣＣＤ４９に代わって銀塩フィルムを配置した銀塩カメラとして構成してもよい。
【０２４１】
さらに、ファインダー用光路４４上にはファインダー用対物光学系５３が配置してある。ファインダー用対物光学系５３は、複数のレンズ群（図の場合は３群）と正立プリズム５５ａ、５５ｂ、５５ｃからなる正立プリズム系５５とから構成され、撮影光学系４１のズームレンズに連動して焦点距離が変化するズーム光学系からなり、このファインダー用対物光学系５３によって形成された物体像は、像正立部材である正立プリズム系５５の視野枠５７上に形成される。この正立プリズム系５５の後方には、正立正像にされた像を観察者眼球Ｅに導く接眼光学系５９が配置されている。なお、接眼光学系５９の射出側にカバー部材５０が配置されている。
【０２４２】
図３８は、上記デジタルカメラ４０の主要部の内部回路の構成ブロック図である。なお、以下の説明では、上記の処理手段５１は例えばＣＤＳ／ＡＤＣ部２４、一次記憶メモリ１７、画像処理部１８等からなり、記憶手段５２は例えば記憶媒体部１９等からなる。
【０２４３】
図３８に示すように、デジタルカメラ４０は、操作部１２と、この操作部１２に接続された制御部１３と、この制御部１３の制御信号出力ポートにバス１４及び１５を介して接続された撮像駆動回路１６並びに一次記憶メモリ１７、画像処理部１８、記憶媒体部１９、表示部２０、及び設定情報記憶メモリ部２１を備えている。
【０２４４】
上記の一次記憶メモリ１７、画像処理部１８、記憶媒体部１９、表示部２０、及び設定情報記憶メモリ部２１はバス２２を介して相互にデータの入力又は出力が可能なように構成され、また、撮像駆動回路１６には、ＣＣＤ４９とＣＤＳ／ＡＤＣ部２４が接続されている。
【０２４５】
操作部１２は各種の入力ボタンやスイッチを備え、これらの入力ボタンやスイッチを介して外部（カメラ使用者）から入力されるイベント情報を制御部に通知する回路である。
制御部１３は、例えばＣＰＵ等からなる中央演算処理装置であり、不図示のプログラムメモリを内蔵し、そのプログラムメモリに格納されているプログラムにしたがって、操作部１２を介してカメラ使用者から入力される指示命令を受けてデジタルカメラ４０全体を制御する回路である。
【０２４６】
ＣＣＤ４９は、本発明による撮影光学系４１を介して形成された物体像を受光する。ＣＣＤ４９は、撮影駆動回路１６により駆動制御され、その物体像の各画素ごとの光量を電気信号に変換してＣＤＳ／ＡＤＣ部２４に出力する撮像素子である。
【０２４７】
ＣＤＳ／ＡＤＣ部２４は、ＣＣＤ４９から入力する電気信号を増幅しかつアナログ／デジタル変換を行って、この増幅とデジタル変換を行っただけの映像生データ（ベイヤーデータ、以下ＲＡＷデータという。）を一時メモリ１７に出力する回路である。
【０２４８】
一次記憶メモリ１７は、例えばＳＤＲＡＭ等からなるバッファであり、ＣＤＳ／ＡＤＣ部２４から出力される上記ＲＡＷデータを一時的に記憶するメモリ装置である。画像処理部１８は、一次記憶メモリ１７に記憶されたＲＡＷデータ又は記憶媒体部１９に記憶されているＲＡＷデータを読み出して、制御部１３から指定された画質パラメータに基づいて歪曲収差補正を含む各種画像処理を電気的に行う回路である。
【０２４９】
記憶媒体部１９は、例えばフラッシュメモリ等からなるカード型又はスティック型の記録媒体を着脱自在に装着して、それらカード型又はスティック型のフラッシュメモリに、一次記憶メモリ１７から転送されるＲＡＷデータや画像処理部１８で画像処理された画像データを記録して保持する装置の制御回路である。
【０２５０】
表示部２０は、液晶表示モニター４７を備え、その液晶表示モニター４７に画像や操作メニュー等を表示する回路である。設定情報記憶メモリ部２１には、予め各種の画質パラメータが格納されているＲＯＭ部と、そのＲＯＭ部から読み出された画質パラメータの中から操作部１２の入力操作によって選択された画質パラメータを記憶するＲＡＭ部が備えられている。設定情報記憶メモリ部２１は、それらのメモリへの入出力を制御する回路である。
【０２５１】
このように構成されたデジタルカメラ４０は、撮影光学系４１が、本発明により、十分な広角域を有し、コンパクトな構成としながら、高変倍で全変倍域で結像性能が極めて安定的であるので、高性能・小型化・広角化が実現できる。そして、広角側、望遠側での速い合焦動作が可能となる。
【０２５２】
本発明は、以上のような一般的な被写体を撮影する所謂コンパクトデジタルカメラだけではなく、広い画角が必要な監視カメラや、レンズ交換式のカメラに適用してもよい。
【図面の簡単な説明】
【０２５３】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】本発明のズームレンズの実施例８の図１と同様の図である。
【図９】本発明のズームレンズの実施例９の図１と同様の図である。
【図１０】本発明のズームレンズの実施例１０の図１と同様の図である。
【図１１】本発明のズームレンズの実施例１１の図１と同様の図である。
【図１２】実施例１の無限遠物点合焦時の収差図である。
【図１３】実施例１の無限遠物点合焦時の収差図である。
【図１４】実施例２の無限遠物点合焦時の収差図である。
【図１５】実施例２の無限遠物点合焦時の収差図である。
【図１６】実施例３の無限遠物点合焦時の収差図である。
【図１７】実施例３の無限遠物点合焦時の収差図である。
【図１８】実施例４の無限遠物点合焦時の収差図である。
【図１９】実施例４の無限遠物点合焦時の収差図である。
【図２０】実施例５の無限遠物点合焦時の収差図である。
【図２１】実施例５の無限遠物点合焦時の収差図である。
【図２２】実施例６の無限遠物点合焦時の収差図である。
【図２３】実施例６の無限遠物点合焦時の収差図である。
【図２４】実施例７の無限遠物点合焦時の収差図である。
【図２５】実施例７の無限遠物点合焦時の収差図である。
【図２６】実施例８の無限遠物点合焦時の収差図である。
【図２７】実施例８の無限遠物点合焦時の収差図である。
【図２８】実施例９の無限遠物点合焦時の収差図である。
【図２９】実施例９の無限遠物点合焦時の収差図である。
【図３０】実施例１０の無限遠物点合焦時の収差図である。
【図３１】実施例１０の無限遠物点合焦時の収差図である。
【図３２】実施例１１の無限遠物点合焦時の収差図である。
【図３３】実施例１１の無限遠物点合焦時の収差図である。
【図３４】歪曲収差の補正を示す図である。
【図３５】本発明によるデジタルカメラの外観を示す前方斜視図である。
【図３６】図３５のデジタルカメラの後方斜視図である。
【図３７】図３５のデジタルカメラの断面図である。
【図３８】図３５のデジタルカメラの主要部の内部回路の構成ブロック図である。
【符号の説明】
【０２５４】
Ｇ１…第１レンズ群
Ｇ２…第２レンズ群
Ｇ３…第３レンズ群
Ｇ４…第４レンズ群
Ｓ…開口絞り
Ｆ…光学的ローパスフィルター
Ｃ…カバーガラス
Ｉ…像面
Ｅ…観察者眼球
１２…操作部
１３…制御部
１４、１５…バス
１６…撮像駆動回路
１７…一次記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４３…ファインダー光学系
４４…ファインダー用光路
４５…シャッターボタン
４６…フラッシュ
４７…液晶表示モニター
４９…ＣＣＤ
５０…カバー部材
５１…処理手段
５２…記録手段
５３…ファインダー用対物光学系
５５…正立プリズム系
５５ａ、５５ｂ、５５ｃ、…正立プリズム
５７…視野枠
５９…接眼光学系
６０…カバー
６１…焦点距離変更ボタン
６２…設定変更スイッチ
【図１】
0005057897.tif 000002
【図２】
0005057897.tif 000003
【図３】
0005057897.tif 000004
【図４】
0005057897.tif 000005
【図５】
0005057897.tif 000006
【図６】
0005057897.tif 000007
【図７】
0005057897.tif 000008
【図８】
0005057897.tif 000009
【図９】
0005057897.tif 000010
【図１０】
0005057897.tif 000011
【図１１】
0005057897.tif 000012
【図１２】
0005057897.tif 000013
【図１３】
0005057897.tif 000014
【図１４】
0005057897.tif 000015
【図１５】
0005057897.tif 000016
【図１６】
0005057897.tif 000017
【図１７】
0005057897.tif 000018
【図１８】
0005057897.tif 000019
【図１９】
0005057897.tif 000020
【図２０】
0005057897.tif 000021
【図２１】
0005057897.tif 000022
【図２２】
0005057897.tif 000023
【図２３】
0005057897.tif 000024
【図２４】
0005057897.tif 000025
【図２５】
0005057897.tif 000026
【図２６】
0005057897.tif 000027
【図２７】
0005057897.tif 000028
【図２８】
0005057897.tif 000029
【図２９】
0005057897.tif 000030
【図３０】
0005057897.tif 000031
【図３１】
0005057897.tif 000032
【図３２】
0005057897.tif 000033
【図３３】
0005057897.tif 000034
【図３４】
0005057897.tif 000035
【図３５】
0005057897.tif 000036
【図３６】
0005057897.tif 000037
【図３７】
0005057897.tif 000038
【図３８】
0005057897.tif 000039